(57)【要約】本発明の実施例は、キャリア変換方法、装置及びシステムを提供する。該方法は、基地局が自セルのＵＥにキャリア変換指示メッセージを送信し、自セルのキャリアタイプが変わることをキャリア変換指示メッセージを介してＵＥに指示するステップと、基地局がキャリアタイプを変換し、対応するシステム情報の内容及び／又は送信方式、並びに共通信号のシーケンス及び／又は送信方式を修正するステップと、を含む。本発明の実施例のキャリア変換方法によれば、ＢＣＴ及びＮＣＴの利点をよりよく発揮でき、キャリアサービスユーザのスムースな移行を実現できる。【選択図】図１
2016534661.tif 000002
【特許請求の範囲】
【請求項１】
キャリア変換方法であって、
基地局が、自セルのＵＥにキャリア変換指示メッセージを送信し、自セルのキャリアタイプが変わることを前記キャリア変換指示メッセージを介して前記ＵＥに指示するステップと、
前記基地局が、キャリアタイプを変換し、対応するシステム情報の内容及び／又は送信方式、並びに共通信号のシーケンス及び／又は送信方式を修正するステップと、を含む、方法。
【請求項２】
前記キャリア変換指示メッセージは、変わった後のキャリアタイプのセル識別子、及び／又はＢＣＴをキャリーするサブフレームのサブフレームパターン、及び／又はＮＣＴをキャリーするサブフレームのサブフレームパターンを含む、請求項１に記載の方法。
【請求項３】
変換後のキャリアが同一のセル識別子を有する混合キャリアであり、且つＵＥが前記混合キャリアにおける全てのキャリアをサポートする場合に、前記方法は、
前記基地局が前記混合キャリアにおける任意のサブフレームにおいて前記ＵＥをスケジューリングするステップ、をさらに含む、請求項１に記載の方法。
【請求項４】
変換後のキャリアが異なるセル識別子を有する混合キャリアであり、且つＵＥが前記混合キャリアにおける全てのキャリアをサポートする場合に、前記方法は、
前記基地局が前記ＵＥのサービングセルを決定し、前記ＵＥのサービングセルに対応するキャリアの所在するサブフレームにおいて前記ＵＥをスケジューリングするステップ、又は
前記基地局が時分割多重の方式で、前記混合キャリアの各キャリアの所在するサブフレームにおいて前記ＵＥをスケジューリングするステップ、をさらに含む、請求項１に記載の方法。
【請求項５】
キャリア変換方法であって、
ユーザ装置が、基地局により送信されたキャリア変換指示メッセージを受信した後に、予め約束され、或いは前記キャリア変換指示メッセージによりキャリーされた時間指示情報に基づいてキャリア変換のタイミングを決定するステップと、
前記ユーザ装置が、決定されたキャリア変換のタイミングにおいてキャリア変換を行うステップと、を含む、方法。
【請求項６】
前記キャリア変換指示メッセージが変換後のキャリアのセル識別子をさらに含む場合に、前記ユーザ装置が決定されたキャリア変換のタイミングにおいてキャリア変換を行うステップは、
前記ユーザ装置が、前記キャリア変換のタイミングにおいて、前記変換後のキャリアのセル識別子を用いて、セルのシステムメッセージを認識し、セルの共通信号及びダウンリンク制御信号を受信し、前記ユーザ装置のアップリンク信号におけるセル識別子に関連するスクランブリングシーケンス及び参照信号シーケンスを変更するステップ、を含む、請求項５に記載の方法。
【請求項７】
変換後のキャリアが同一のセル識別子を有する混合キャリアであり、且つ前記ユーザ装置が前記混合キャリアにおける全てのキャリアをサポートする場合に、前記方法は、
前記ユーザ装置が前記混合キャリアをそのサービングセルとするステップ、をさらに含む、請求項５に記載の方法。
【請求項８】
変換後のキャリアが異なるセル識別子を有する混合キャリアであり、且つ前記ユーザ装置が前記混合キャリアにおける全てのキャリアをサポートする場合に、前記方法は、
前記ユーザ装置が前記混合キャリアをそのサービングセルとするステップ、又は
前記ユーザ装置が前記混合キャリアにおける１つのキャリアをそのサービングセルとするステップ、をさらに含む、請求項５に記載の方法。
【請求項９】
キャリア変換方法であって、
基地局が、自セルの全てのＵＥを、前記ＵＥに対してサービスを提供可能なキャリアに切り換えるステップと、
前記基地局が、キャリアタイプを変換し、対応するシステム情報の内容及び／又は送信方式、並びに共通信号のシーケンス及び／又は送信方式を修正するステップと、を含む、方法。
【請求項１０】
変換後のキャリアが異なるセル識別子を有する混合キャリアであり、且つ前記ＵＥが前記混合キャリアにおける全てのキャリアをサポートする場合に、前記方法は、
前記基地局が前記ＵＥのサービングセルを決定し、前記ＵＥのサービングセルに対応するキャリアの所在するサブフレームにおいて前記ＵＥをスケジューリングするステップ、又は
前記基地局が時分割多重の方式で、前記混合キャリアの各キャリアの所在するサブフレームにおいて前記ＵＥをスケジューリングするステップ、をさらに含む、請求項９に記載の方法。
【請求項１１】
キャリア変換方法であって、
基地局が、現在のキャリアの一部のサブフレームにおいてユーザ装置をスケジューリングすることを停止するステップと、
前記基地局が、前記一部のサブフレームのキャリアタイプを変換し、対応するシステム情報の内容及び／又は送信方式、並びに共通信号のシーケンス及び／又は送信方式を修正するステップと、
前記基地局が、自セル内の変換後のキャリアに切り換え可能なユーザ装置を前記変換後のキャリアに切り換えるステップと、
前記基地局が、前記現在のキャリアの前記一部のサブフレーム以外の他のサブフレームのキャリアタイプを前記変換後のキャリアに変換するステップと、を含む、方法。
【請求項１２】
前記基地局が現在のキャリアの一部のサブフレームにおいてユーザ装置をスケジューリングすることを停止するステップは、
ユーザ装置がサブフレームパターンに基づいてサブフレームパターンの方式で動作するように、前記基地局が、前記ユーザ装置に、前記一部のサブフレーム以外の他のサブフレームをキャリーする前記サブフレームパターンを含む構成情報を送信するステップ、を含む、請求項１１に記載の方法。
【請求項１３】
前記基地局が自セル内の変換後のキャリアに切り換え可能なユーザ装置を前記変換後のキャリアに切り換えるステップは、
前記ユーザ装置が切り換え補助情報に基づいて前記変換後のキャリアに切り換えるように、前記基地局が前記ユーザ装置に切り換えコマンド及び前記切り換え補助情報を送信するステップ、を含む、請求項１１に記載の方法。
【請求項１４】
前記基地局が自セル内の変換後のキャリアに切り換え可能なユーザ装置を前記変換後のキャリアに切り換えるステップは、
前記ユーザ装置がサブフレームパターンに基づいてサブフレームパターンの方式で動作するように、前記基地局が、前記ユーザ装置に、変換後のキャリアのサブフレームをキャリーする前記サブフレームパターンを含む構成情報を送信するステップ、を含む、請求項１１に記載の方法。
【請求項１５】
前記基地局が前記一部のサブフレームのキャリアタイプを変換した後に、前記方法は、
前記ユーザ装置がサブフレームパターンに基づいてサブフレームパターンの方式で動作するように、前記基地局が、前記ユーザ装置に、変換後のキャリアのサブフレームをキャリーする前記サブフレームパターンを含む構成情報を送信するステップ、をさらに含む、請求項１１に記載の方法。
【請求項１６】
キャリア変換方法であって、
ユーザ装置が切り換え補助情報に基づいて現在のキャリアタイプを基地局により指定されたキャリアタイプに変換するように、前記基地局が、前記ユーザ装置に切り換えコマンド及び前記切り換え補助情報を送信するステップ、を含む、方法。
【請求項１７】
前記切り換え補助情報は、
ダウンリンク同期に関連する情報、及び／又は
アップリンクランダムアクセスに関連する情報、及び／又は
現在のキャリアと変換後のキャリアとが同一の状態にあるか否かを示す指示情報、を含む、請求項１６に記載の方法。
【請求項１８】
キャリア変換方法であって、
ユーザ装置が、基地局により送信された切り換えコマンド及び切り換え補助情報を受信するステップと、
前記ユーザ装置が、前記切り換え補助情報に基づいて、現在のキャリアタイプを前記基地局により指定されたキャリアタイプに変換するステップと、を含む、方法。
【請求項１９】
基地局であって、
自セルのＵＥにキャリア変換指示メッセージを送信し、自セルのキャリアタイプが変わることを前記キャリア変換指示メッセージを介して前記ＵＥに指示する送信手段と、
キャリアタイプを変換し、対応するシステム情報の内容及び／又は送信方式、並びに共通信号のシーケンス及び／又は送信方式を修正する処理手段と、を含む、基地局。
【請求項２０】
前記キャリア変換指示メッセージは、変わった後のキャリアタイプのセル識別子、及び／又はＢＣＴをキャリーするサブフレームのサブフレームパターン、及び／又はＮＣＴをキャリーするサブフレームのサブフレームパターンを含む、請求項１９に記載の基地局。
【請求項２１】
変換後のキャリアが同一のセル識別子を有する混合キャリアであり、且つＵＥが前記混合キャリアにおける全てのキャリアをサポートする場合に、前記混合キャリアにおける任意のサブフレームにおいて前記ＵＥをスケジューリングする第３のスケジューリング手段、をさらに含む、請求項１９に記載の基地局。
【請求項２２】
変換後のキャリアが異なるセル識別子を有する混合キャリアであり、且つＵＥが前記混合キャリアにおける全てのキャリアをサポートする場合に、
前記ＵＥのサービングセルを決定し、前記ＵＥのサービングセルに対応するキャリアの所在するサブフレームにおいて前記ＵＥをスケジューリングし、或いは
前記基地局が時分割多重の方式で、前記混合キャリアの各キャリアの所在するサブフレームにおいて前記ＵＥをスケジューリングする第４のスケジューリング手段、をさらに含む、請求項１９に記載の基地局。
【請求項２３】
ユーザ装置であって、
基地局により送信されたキャリア変換指示メッセージを受信した後に、予め約束され、或いは前記キャリア変換指示メッセージによりキャリーされた時間指示情報に基づいてキャリア変換のタイミングを決定する決定手段と、
前記決定手段により決定されたキャリア変換のタイミングにおいてキャリア変換を行う切換手段と、を含む、ユーザ装置。
【請求項２４】
前記切換手段は、前記キャリア変換指示メッセージが変換後のキャリアのセル識別子を含む場合に、前記キャリア変換のタイミングにおいて、前記変換後のキャリアのセル識別子を用いて、セルのシステムメッセージを認識し、セルの共通信号及びダウンリンク制御信号を受信し、前記ユーザ装置のアップリンク信号におけるセル識別子に関連するスクランブリングシーケンス及び参照信号シーケンスを変更する、請求項２３に記載のユーザ装置。
【請求項２５】
変換後のキャリアが同一のセル識別子を有する混合キャリアであり、且つ前記ユーザ装置が前記混合キャリアにおける全てのキャリアをサポートする場合に、前記混合キャリアをそのサービングセルとする第１の選択手段、をさらに含む、請求項２３に記載のユーザ装置。
【請求項２６】
変換後のキャリアが異なるセル識別子を有する混合キャリアであり、且つ前記ユーザ装置が前記混合キャリアにおける全てのキャリアをサポートする場合に、前記混合キャリアをそのサービングセルとし、或いは前記混合キャリアにおける１つのキャリアをそのサービングセルとする第２の選択手段、をさらに含む、請求項２３に記載のユーザ装置。
【請求項２７】
基地局であって、
自セルの全てのＵＥを、前記ＵＥに対してサービスを提供可能なキャリアに切り換える切換手段と、
キャリアタイプを変換し、対応するシステム情報の内容及び／又は送信方式、並びに共通信号のシーケンス及び／又は送信方式を修正する処理手段と、を含む、基地局。
【請求項２８】
変換後のキャリアが異なるセル識別子を有する混合キャリアであり、且つ前記ＵＥが前記混合キャリアにおける全てのキャリアをサポートする場合に、
前記ＵＥのサービングセルを決定し、前記ＵＥのサービングセルに対応するキャリアの所在するサブフレームにおいて前記ＵＥをスケジューリングし、或いは
時分割多重の方式で、前記混合キャリアの各キャリアの所在するサブフレームにおいて前記ＵＥをスケジューリングする第３のスケジューリング手段、をさらに含む、請求項２７に記載の基地局。
【請求項２９】
基地局であって、
現在のキャリアの一部のサブフレームにおいてユーザ装置をスケジューリングすることを停止する第１のスケジューリング手段と、
前記一部のサブフレームのキャリアタイプを変換し、対応するシステム情報の内容及び／又は送信方式、並びに共通信号のシーケンス及び／又は送信方式を修正する第１の処理手段と、
自セル内の変換後のキャリアに切り換え可能なユーザ装置を前記変換後のキャリアに切り換える第１の切換手段と、
前記現在のキャリアの前記一部のサブフレーム以外の他のサブフレームのキャリアタイプを前記変換後のキャリアに変換する第２の処理手段と、を含む、基地局。
【請求項３０】
前記第１のスケジューリング手段は、
ユーザ装置がサブフレームパターンに基づいてサブフレームパターンの方式で動作するように、前記ユーザ装置に、前記一部のサブフレーム以外の他のサブフレームをキャリーする前記サブフレームパターンを含む構成情報を送信する第１の送信モジュール、を含む、請求項２９に記載の基地局。
【請求項３１】
前記第１の切換手段は、
前記ユーザ装置が切り換え補助情報に基づいて前記変換後のキャリアに切り換えるように、前記ユーザ装置に切り換えコマンド及び前記切り換え補助情報を送信する第２の送信モジュール、を含む、請求項２９に記載の基地局。
【請求項３２】
前記第１の切換手段は、
前記ユーザ装置がサブフレームパターンに基づいてサブフレームパターンの方式で動作するように、前記ユーザ装置に、変換後のキャリアのサブフレームをキャリーする前記サブフレームパターンを含む構成情報を送信する第３の送信モジュール、を含む、請求項２９に記載の基地局。
【請求項３３】
前記第１の処理手段が前記一部のサブフレームのキャリアタイプを変換した後に、前記ユーザ装置がサブフレームパターンに基づいてサブフレームパターンの方式で動作するように、前記ユーザ装置に、変換後のキャリアのサブフレームをキャリーする前記サブフレームパターンを含む構成情報を送信する第４の送信モジュール、をさらに含む、請求項２９に記載の基地局。
【請求項３４】
基地局であって、
ユーザ装置が切り換え補助情報に基づいて現在のキャリアタイプを基地局により指定されたキャリアタイプに変換するように、前記ユーザ装置に切り換えコマンド及び前記切り換え補助情報を送信する送信手段、を含む、基地局。
【請求項３５】
前記切り換え補助情報は、
ダウンリンク同期に関連する情報、及び／又は
アップリンクランダムアクセスに関連する情報、及び／又は
現在のキャリアと変換後のキャリアとが同一の状態にあるか否かを示す指示情報、を含む、請求項３４に記載の基地局。
【請求項３６】
ユーザ装置であって、
基地局により送信された切り換えコマンド及び切り換え補助情報を受信する受信手段と、
前記切り換え補助情報に基づいて、現在のキャリアタイプを前記基地局により指定されたキャリアタイプに変換する変換手段と、を含む、ユーザ装置。
【請求項３７】
通信システムであって、請求項１９〜２２のいずれかに記載の基地局と、請求項２３〜２６のいずれかに記載のＵＥとを含み、或いは請求項２７〜２８のいずれかに記載の基地局と、ＵＥとを含み、或いは請求項２９〜３３のいずれかに記載の基地局と、ＵＥとを含み、或いは請求項３４〜３５のいずれかに記載の基地局と、請求項３６に記載のＵＥとを含む、システム。
【請求項３８】
基地局においてプログラムを実行する際に、コンピュータに、請求項１〜４、９〜１０、１１〜１５、１６〜１７のいずれかに記載のキャリア変換方法を前記基地局において実行させる、コンピュータ読み取り可能なプログラム。
【請求項３９】
コンピュータに、請求項１〜４、９〜１０、１１〜１５、１６〜１７のいずれかに記載のキャリア変換方法を基地局において実行させるためのコンピュータ読み取り可能なプログラムを記憶する、記憶媒体。
【請求項４０】
端末装置においてプログラムを実行する際に、コンピュータに、請求項５〜８、１８のいずれかに記載のキャリア変換方法を前記端末装置において実行させる、コンピュータ読み取り可能なプログラム。
【請求項４１】
コンピュータに、請求項５〜８、１８のいずれかに記載のキャリア変換方法を端末装置において実行させるためのコンピュータ読み取り可能なプログラムを記憶する、記憶媒体。
【発明の詳細な説明】
【技術分野】
【０００１】
本発明は、通信分野に関し、特にキャリア変換（ｔｒａｎｓｆｏｒｍ又はｓｗｉｔｃｈ）の方法、装置及びシステムに関する。
【背景技術】
【０００２】
近年、移動データサービスの需要量が迅速に増大し、２０１０年に比べて、２０２０年のデータサービスの需要量が１０００倍まで増大すると予測されている。このように迅速に増大したサービスをサポートするために、如何に従来の移動通信ネットワークを進化させ、新しい技術を発展するのは、移動通信領域の主な注目点となっている。
【０００３】
多くの可能な解決案では、１つの案として、Ｓｍａｌｌ  ｃｅｌｌ（スモールセル）を用いて物理リソースの多重化率を増加する。また、カバレージ面積が同じである場合には、１つのｍａｃｒｏ  ｃｅｌｌ（マクロセル）の代わりに複数のｓｍａｌｌ  ｃｅｌｌを用いることで電力のオーバヘッドを効率的に節約できる。Ｓｍａｌｌ  ｃｅｌｌは省エネのグリーン技術である。一方、Ｓｍａｌｌ  ｃｅｌｌは、より柔軟に配置できるため、ユーザ量及びサービスデータ量に基づいてオンとオフを柔軟に行うことができる。
【０００４】
不要なセル専用信号のオーバヘッド（例えば、ダウンリンクのユーザデータ伝送が無くても、セル専用信号が全帯域フルパワーで送信する場合はある）を低減するために、ＬＴＥ（Ｌｏｎｇ  Ｔｅｒｍ  Ｅｖｏｌｕｔｉｏｎ：ロングタームエボリューションシ）標準リリース１２（Ｒｅｌｅａｓｅ  １２）の検討では、新型のキャリア（ＮＣＴ：ｎｅｗ  ｃａｒｒｉｅｒ  ｔｙｐｅ）が考慮されている。ＮＣＴに対して、従来のキャリアはＢＣＴ（ｂａｃｋｗａｒｄｓ  ｃｏｍｐａｔｉｂｉｌｉｔｙ  ｃａｒｒｉｅｒ  ｔｙｐｅ）と称される。ＢＣＴに比べて、ＮＣＴは、セル専用信号による不要なセル間干渉を効果的に低減できるため、密集した配置のシナリオにより適合し、例えば密集して配置されたｓｍａｌｌ  ｃｅｌｌがＮＣＴを用いることでユーザの受信信号ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ：信号対干渉プラス雑音比）を効果的に増大でき、セルの容量をさらに増大できる。しかし、ＮＣＴは後方互換性を有しないため、ＬＴＥリリース１２以前のユーザ（ＵＥ：Ｕｓｅｒ  Ｅｑｕｉｐｍｅｎｔ。ユーザ装置、端末装置又は端末とも称される）はＮＣＴキャリアにアクセスすることができない。
【０００５】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００６】
本発明の実施例は、ＢＣＴ及びＮＣＴの利点をよりよく発揮でき、キャリアサービスユーザのスムースな移行を実現できるキャリア変換方法、装置及びシステムを提供することを目的とする。
【課題を解決するための手段】
【０００７】
本発明の実施例の第１の態様では、キャリア変換方法であって、基地局が、自セルのＵＥにキャリア変換指示メッセージを送信し、自セルのキャリアタイプが変わることを前記キャリア変換指示メッセージを介して前記ＵＥに指示するステップと、前記基地局が、キャリアタイプを変換し、対応するシステム情報の内容及び／又は送信方式、並びに共通信号のシーケンス及び／又は送信方式を修正するステップと、を含む、方法を提供する。
【０００８】
本発明の実施例の第２の態様では、キャリア変換方法であって、ユーザ装置が、基地局により送信されたキャリア変換指示メッセージを受信した後に、予め約束され、或いは前記キャリア変換指示メッセージによりキャリーされた時間指示情報に基づいてキャリア変換のタイミングを決定するステップと、前記ユーザ装置が、決定されたキャリア変換のタイミングにおいてキャリア変換を行うステップと、を含む、方法を提供する。
【０００９】
本発明の実施例の第３の態様では、キャリア変換方法であって、基地局が、自セルの全てのＵＥを、前記ＵＥに対してサービスを提供可能なキャリアに切り換えるステップと、前記基地局が、キャリアタイプを変換し、対応するシステム情報の内容及び／又は送信方式、並びに共通信号のシーケンス及び／又は送信方式を修正するステップと、を含む、方法を提供する。
【００１０】
本発明の実施例の第４の態様では、キャリア変換方法であって、基地局が、現在のキャリアの一部のサブフレームにおいてユーザ装置をスケジューリングすることを停止するステップと、前記基地局が、前記一部のサブフレームのキャリアタイプを変換し、対応するシステム情報の内容及び／又は送信方式、並びに共通信号のシーケンス及び／又は送信方式を修正するステップと、前記基地局が、自セル内の変換後のキャリアに切り換え可能なユーザ装置を前記変換後のキャリアに切り換えるステップと、前記基地局が、前記現在のキャリアの前記一部のサブフレーム以外の他のサブフレームのキャリアタイプを前記変換後のキャリアに変換するステップと、を含む、方法を提供する。
【００１１】
本発明の実施例の第５の態様では、キャリア変換方法であって、ユーザ装置が切り換え補助情報に基づいて現在のキャリアタイプを基地局により指定されたキャリアタイプに変換するように、前記基地局が、前記ユーザ装置に切り換えコマンド及び前記切り換え補助情報を送信するステップ、を含む、方法を提供する。
【００１２】
本発明の実施例の第６の態様では、キャリア変換方法であって、ユーザ装置が、基地局により送信された切り換えコマンド及び切り換え補助情報を受信するステップと、前記ユーザ装置が、前記切り換え補助情報に基づいて、現在のキャリアタイプを前記基地局により指定されたキャリアタイプに変換するステップと、を含む、方法を提供する。
【００１３】
本発明の実施例の第７の態様では、基地局であって、自セルのＵＥにキャリア変換指示メッセージを送信し、自セルのキャリアタイプが変わることを前記キャリア変換指示メッセージを介して前記ＵＥに指示する送信手段と、キャリアタイプを変換し、対応するシステム情報の内容及び／又は送信方式、並びに共通信号のシーケンス及び／又は送信方式を修正する処理手段と、を含む、基地局を提供する。
【００１４】
本発明の実施例の第８の態様では、ユーザ装置であって、基地局により送信されたキャリア変換指示メッセージを受信した後に、予め約束され、或いは前記キャリア変換指示メッセージによりキャリーされた時間指示情報に基づいてキャリア変換のタイミングを決定する決定手段と、前記決定手段により決定されたキャリア変換のタイミングにおいてキャリア変換を行う切換手段と、を含む、ユーザ装置を提供する。
【００１５】
本発明の実施例の第９の態様では、基地局であって、自セルの全てのＵＥを、前記ＵＥに対してサービスを提供可能なキャリアに切り換える切換手段と、キャリアタイプを変換し、対応するシステム情報の内容及び／又は送信方式、並びに共通信号のシーケンス及び／又は送信方式を修正する処理手段と、を含む、基地局を提供する。
【００１６】
本発明の実施例の第１０の態様では、基地局であって、現在のキャリアの一部のサブフレームにおいてユーザ装置をスケジューリングすることを停止する第１のスケジューリング手段と、前記一部のサブフレームのキャリアタイプを変換し、対応するシステム情報の内容及び／又は送信方式、並びに共通信号のシーケンス及び／又は送信方式を修正する第１の処理手段と、自セル内の変換後のキャリアに切り換え可能なユーザ装置を前記変換後のキャリアに切り換える第１の切換手段と、前記現在のキャリアの前記一部のサブフレーム以外の他のサブフレームのキャリアタイプを前記変換後のキャリアに変換する第２の処理手段と、を含む、基地局を提供する。
【００１７】
本発明の実施例の第１１の態様では、基地局であって、ユーザ装置が切り換え補助情報に基づいて現在のキャリアタイプを基地局により指定されたキャリアタイプに変換するように、前記ユーザ装置に切り換えコマンド及び前記切り換え補助情報を送信する送信手段、を含む、基地局を提供する。
【００１８】
本発明の実施例の第１２の態様では、ユーザ装置であって、基地局により送信された切り換えコマンド及び切り換え補助情報を受信する受信手段と、前記切り換え補助情報に基づいて、現在のキャリアタイプを前記基地局により指定されたキャリアタイプに変換する変換手段と、を含む、ユーザ装置を提供する。
【００１９】
本発明の実施例の他の態様では、通信システムであって、第７の態様に記載の基地局と、第８の態様に記載のＵＥとを含み、或いは第９の態様に記載の基地局と、ＵＥとを含み、或いは第１０の態様に記載の基地局と、ＵＥとを含み、或いは第１１の態様に記載の基地局と、第１２の態様に記載のＵＥとを含む、システムを提供する。
【００２０】
本発明の実施例の他の態様では、基地局においてプログラムを実行する際に、コンピュータに、第１の態様、第３の態様、第４の態様、第５の態様、第６の態様のいずれかに記載のキャリア変換方法を前記基地局において実行させる、コンピュータ読み取り可能なプログラムを提供する。
【００２１】
本発明の実施例の他の態様では、コンピュータに、第１の態様、第３の態様、第４の態様、第５の態様、第６の態様のいずれかに記載のキャリア変換方法を基地局において実行させるためのコンピュータ読み取り可能なプログラムを記憶する、記憶媒体を提供する。
【００２２】
本発明の実施例の他の態様では、端末装置においてプログラムを実行する際に、コンピュータに、第２の態様、第７の態様のいずれかに記載のキャリア変換方法を前記端末装置において実行させる、コンピュータ読み取り可能なプログラムを提供する。
【００２３】
本発明の実施例の他の態様では、コンピュータに、第２の態様、第７の態様のいずれかに記載のキャリア変換方法を端末装置において実行させるためのコンピュータ読み取り可能なプログラムを記憶する、記憶媒体を提供する。
【００２４】
本発明の実施例の有益な効果としては、本発明の実施例に係るキャリア変換方法、装置及びシステムによれば、ＢＣＴ及びＮＣＴの利点をよりよく発揮でき、キャリアサービスユーザのスムースな移行を実現できる。
【００２５】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２６】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２７】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２８】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１のキャリア変換方法のフローチャートである。
【図２】図１の方法に対応するＵＥ側の処理のフローチャートである。
【図３】本発明の実施例３のキャリア変換方法のフローチャートである。
【図４】図３の方法に対応するキャリア移行の処理のフローチャートである。
【図５】図４の方法に対応するＵＥ側の処理のフローチャートである。
【図６】本発明の実施例６のキャリア変換方法のフローチャートである。
【図７】本発明の実施例７のキャリア変換方法のフローチャートである。
【図８】図７の方法に対応するＵＥ側の処理のフローチャートである。
【図９】図１の方法に対応する基地局の構成を示す図である。
【図１０】図２の方法に対応するＵＥの構成を示す図である。
【図１１】図３の方法に対応する基地局の構成を示す図である。
【図１２】図４の方法に対応する基地局の構成を示す図である。
【図１３】図５の方法に対応するＵＥの構成を示す図である。
【図１４】図６の方法に対応する基地局の構成を示す図である。
【図１５】図７の方法に対応する基地局の構成を示す図である。
【図１６】図８の方法に対応するＵＥの構成を示す図である。
【発明を実施するための形態】
【００２９】
図面を参照しながら、本発明の実施例の上記及び他の特徴を説明する。これらの実施形態は単なる例示的なものであり、本発明を限定するものではない。
【００３０】
本発明を実現する時の発明者の発見によると、Ｓｍａｌｌ  ｃｅｌｌの柔軟的な配置と、ＢＣＴ及びＮＣＴキャリアとを組み合わせることで、よりよい効果を取得できる。例えば、商業領域に多くのｓｍａｌｌ  ｃｅｌｌを配置する。朝（ピークでない時期）には、該領域のユーザがかなり少なく、僅かなｓｍａｌｌ  ｃｅｌｌがアクティブ状態にあり、ユーザに対してサービスを提供する。この場合は、アクティブ状態にあるｓｍａｌｌ  ｃｅｌｌの数が少ないため、セル間の干渉のレベルが低い。より多いユーザに対してサービスを提供するために、新リリースのユーザ及びレガシーのユーザを含み、ｓｍａｌｌ  ｃｅｌｌはＢＣＴキャリアを採用する。時間の変化に伴い、該領域のユーザが多くなり、アクティブ化されたｓｍａｌｌ  ｃｅｌｌの数の増加に伴い、該領域のセル間の干渉レベルが上昇し、干渉レベルが所定の程度に上昇した場合に、ｓｍａｌｌ  ｃｅｌｌは、セル間の干渉を低減させ、ユーザに対してよりよいサービスを提供するように、ＢＣＴキャリアからＮＣＴキャリアに変換してもよい。ユーザが次第に増加し、最後に全てのｓｍａｌｌ  ｃｅｌｌは全てＮＣＴキャリアに変換できる。時間の推移に伴い、ユーザ数がピークに達した後に次第に減少し、アクティブ状態にあるｓｍａｌｌ  ｃｅｌｌは少なくなり、該領域のセル間干渉は少なくなる。干渉レベルが所定の程度に降下した後に、アクティブ状態にあるｓｍａｌｌ  ｃｅｌｌは、より多いユーザに対してサービスを提供するように、キャリアをＢＣＴキャリアに変換してもよい。
【００３１】
如何にＢＣＴからＮＣＴに、ＮＣＴからＢＣＴに、ＢＣＴから混合キャリアに、又はＮＣＴから混合キャリアに変換するのかは、本発明の研究の重点である。
【００３２】
本発明の実施例をより理解させるために、以下は、本発明の実施例に関する概念を説明する。
【００３３】
本発明の実施例では、下記４種類のユーザ装置に関する。
【００３４】
第１類は、ＢＣＴをサポートし、ＮＣＴをサポートせず、サブフレームパターン（Ｓｕｂｆｒａｍｅ  ｐａｔｔｅｒｎ）でのＲＲＭ（Ｒａｄｉｏ  Ｒｅｓｏｕｒｃｅ  Ｍａｎａｇｅｍｅｎｔ：無線リソース管理）測定をサポートしないユーザ、例えばＬＴＥリリース８及びリリース９のユーザである。
【００３５】
第２類は、ＢＣＴをサポートし、ＮＣＴをサポートせず、サブフレームパターンでのＲＲＭ測定をサポートできるユーザ、例えばＬＴＥリリース１０及びリリース１１のユーザである。
【００３６】
第３類は、ＢＣＴをサポートし、ＮＣＴをサポートし、サブフレームでのＲＲＭ測定をサポートできるユーザである。
【００３７】
第４類は、ＢＣＴをサポートせず、ＮＣＴのみをサポートし、サブフレームでのＲＲＭ測定をサポートできるユーザである。
【００３８】
本発明の実施例では、下記４種類のキャリアに関する。
【００３９】
第１類は、後方互換性キャリア（ＢＣＴ）である。
【００４０】
第２類は、新型キャリア（ＮＣＴ）である。
【００４１】
第３類は、第１類混合キャリアであり、その一部のサブフレームがＢＣＴキャリアをキャリーし、もう一部のサブフレームがＮＣＴキャリアをキャリーし、且つキャリーされたＢＣＴキャリアとＮＣＴキャリアの動作帯域とが互いに重なり、ＢＣＴキャリアとＮＣＴキャリアのセル識別子（Ｃｅｌｌ＿ＩＤ）が同一である。
【００４２】
第４類は、第２類混合キャリアであり、その一部のサブフレームがＢＣＴキャリアをキャリーし、もう一部のサブフレームがＮＣＴキャリアをキャリーし、且つキャリーされたＢＣＴキャリアとＮＣＴキャリアの動作帯域とが互いに重なり、ＢＣＴキャリアとＮＣＴキャリアのセル識別子（Ｃｅｌｌ＿ＩＤ）が異なる。
【００４３】
本実施例では、混合キャリアについて、ＢＣＴキャリアをキャリーするサブフレーム（ＢＣＴサブフレームと略称される）は、ＢＣＴに適用するブロードキャスト情報及び共通信号、例えば共通参照信号を含み、ＮＣＴキャリアをキャリーするサブフレーム（ＮＣＴサブフレームと略称される）は、ＮＣＴに適用するブロードキャスト情報及び共通信号を含む。
【００４４】
ここで、第１類混合キャリア（即ち上記の第３類のキャリア）について、ユーザ装置がＢＣＴサブフレーム及びＮＣＴサブフレームそれぞれの補助信号に基づいてそれらを検索するように、ＢＣＴサブフレーム及びＮＣＴサブフレームにより、異なる補助信号（例えばＰＳＳ／ＳＳＳ及びセル専用パイロット信号）をキャリーしてもよい。
【００４５】
例えば、第１類混合キャリアについて、ＢＣＴサブフレームにおけるブロードキャスト情報は、この混合キャリアのＢＣＴ及びＮＣＴが同一のセル識別子を有すること及びセル識別子の具体的な値を示し、該ＢＣＴ動作のサブフレームパターンをさらにキャリーし、例えばＢｉｔｍａｐの形で示してもよい。本実施例では、ＢＣＴサブフレームでキャリーされたこれらの情報はレガシー（Ｌｅｇａｃｙ）ユーザ（例えば上記の第１類のユーザ及び第２類のユーザ）の読み取ることができない位置に置き、即ちこれらの情報は、該キャリアを混合キャリアとして認識できるユーザにのみサービスを提供し、該情報はＬｅｇａｃｙユーザの該ＢＣＴキャリア上の使用に影響を及ぼさない。第１類混合キャリアについて、ＮＣＴサブフレームにおけるブロードキャスト情報は、これが混合キャリアであり、ＢＣＴ及びＮＣＴが同一のセル識別子を有すること、並びにセル識別子の具体的な値を示してもよく、該ＮＣＴの動作のサブフレームパターンをさらにキャリーし、例えばビットマップ（Ｂｉｔｍａｐ）の形で示してもよい。同様に、ＮＣＴサブフレームに置かれたこれらの情報は、第４類のユーザのこのＮＣＴ上の動作を妨げてはならない。
【００４６】
ここで、第４類混合キャリア（即ち上記の第４類のキャリア）について、ユーザ装置がＢＣＴサブフレーム及びＮＣＴサブフレームそれぞれの補助信号に基づいてそれらを検索するように、ＢＣＴサブフレーム及びＮＣＴサブフレームにより、異なる補助信号（例えばＰＳＳ／ＳＳＳ及びセル専用パイロット信号）をキャリーしてもよい。
【００４７】
例えば、第２類混合キャリアについて、ＢＣＴサブフレームにおけるブロードキャスト情報は、これが非全サブフレーム動作のＢＣＴキャリアであること及びＢＣＴキャリアのセル識別子を示し、該ＢＣＴ動作のサブフレームパターンをさらにキャリーし、例えばＢｉｔｍａｐの形で示してもよい。本実施例では、ＢＣＴサブフレームでキャリーされたこれらの情報はＬｅｇａｃｙユーザ（例えば上記の第１類のユーザ及び第２類のユーザ）の読み取ることができない位置に置き、即ちこれらの情報は、該キャリアを混合キャリアとして認識できるユーザにのみサービスを提供し、該情報はＬｅｇａｃｙユーザの該ＢＣＴキャリア上の使用に影響を及ぼさない。第２類混合キャリアについて、ＮＣＴサブフレームにおけるブロードキャスト情報は、これが非全サブフレーム動作のＮＣＴキャリアであり、ＮＣＴキャリアのセル識別子を示してもよく、該ＮＣＴの動作のサブフレームパターンをさらにキャリーし、例えばＢｉｔｍａｐの形で示してもよい。同様に、ＮＣＴサブフレームに置かれたこれらの情報は、第４類のユーザのこのＮＣＴ上の動作を妨げてはならない。
【００４８】
本実施例では、混合キャリアが２種類のキャリアを含むことを例にしているが、本実施例はこれに限定されず、本実施例の方法は、混合キャリアが２種類以上のキャリアを含んでもよい。
【００４９】
以下は、図面及び具体的な実施例を参照しながら、本発明の方法及び装置を詳細に説明する。
【００５０】
＜実施例１＞
本発明の実施例は、キャリア変換方法を提供する。図１は該方法のフローチャートである。図１に示すように、該方法は以下のステップを含む。
【００５１】
ステップ１０１：基地局は、自セルのＵＥにキャリア変換指示メッセージを送信し、自セルのキャリアタイプが変わることを該キャリア変換指示メッセージを介して該ＵＥに指示する。
【００５２】
ステップ１０２：該基地局は、キャリアタイプを変換し、対応するシステム情報の内容及び／又は送信方式、並びに共通信号のシーケンス及び／又は送信方式を修正する。
【００５３】
ステップ１０１において、該キャリア変換指示メッセージはＲＲＣシグナリングによりキャリーされてもよいが、本実施例はこれに限定されなく、該ＲＲＣシグナリングにより、該基地局は、自セルのキャリアタイプが変わること、例えば自セルのキャリアがキャリアタイプＡからキャリアタイプＢに変換されることを、自セルのユーザに通知できる。また、該ＲＲＣシグナリングは、ユーザが認識、処理を行うように、他の対応する情報をさらにキャリーしてもよい。
【００５４】
ステップ１０１において、現在のキャリアと変換後のキャリアとの間にセル識別子が変化した場合に、該キャリア変換指示メッセージは、セルの新しい識別子、即ち変換後のキャリアのセル識別子をさらにキャリーしてもよい。この場合には、基地局とユーザとはキャリア変換のタイミング、即ちセルがいつセル識別子を変更し、対応する修正を行うか、例えば、ユーザが該キャリア変換指示メッセージを受信した後の次のフレームの１番目のサブフレームを予め約束してもよく、これによって、ユーザは約束されたキャリア変換タイミングに基づいて、対応する時点において、キャリア変換の処理を行うことができる。もう１つの態様では、該キャリア変換指示メッセージを介して該キャリア変換タイミング、即ちキャリーセルがどの時点、例えばいくつのサブフレームを遅らせた後にセル識別子を変更し、対応する修正を行うかをキャリーしてもよく、これによって、ユーザは該キャリア変換タイミングに基づいて、対応する時点において、キャリア変換の処理を行うことができる。例えば、ユーザが該キャリア変換指示メッセージを受信した後に、上記の指定時点において、受信された新しいセル識別子を用いてセルシステム情報を認識したり、セル共通信号、ダウンリンク制御チャネルを受信したり、自分のアップリンク信号におけるセル識別子と関連するスクランブリングシーケンス及び参照信号シーケンスを変更したり、キャリア変換の処理を行う。以上のキャリア変換の処理は単なる例示的な説明であり、本実施例はこれに限定されない。
【００５５】
ステップ１０１において、現在のキャリアと変換後のキャリアとの間にセル識別子が変化していない場合に、該キャリア変換指示メッセージは、セル識別子をキャリーしなくてもよいし、セル識別子をキャリーしてもよいが、本実施例はこれに限定されない。
【００５６】
ステップ１０１において、変換後のキャリアが混合キャリアである場合に、該キャリア変換指示メッセージは、基地局がＢＣＴをキャリーするサブフレーム又はＮＣＴをキャリーするサブフレームにおいて対応するユーザをスケジューリングするように、ＢＣＴをキャリーするサブフレームのサブフレームパターン、及び／又はＮＣＴをキャリーするサブフレームのサブフレームパターンを含んでもよい。
【００５７】
ステップ１０２において、ＵＥにキャリアタイプが変わることを通知した後に、該基地局は、キャリアタイプを変換し、対応するシステム情報の内容及び／又は送信方式、並びに共通信号のシーケンス及び／又は送信方式を修正してもよい。ここで、キャリアタイプ変換のシナリオが異なるため、修正する必要なシステム情報及び共通信号の内容も異なり、具体的には、キャリアタイプ変換のシナリオに応じて以下で詳細に説明する。
【００５８】
本実施例の１つの態様では、変換後のキャリアが混合キャリアである場合に、該基地局は、ＵＥのアクセスをサポートしないキャリアをキャリーするサブフレームにおいて該ＵＥをスケジューリングすることを停止する必要がある。例えば、ＢＣＴから混合キャリアに変換する場合に、第１類のユーザ及び第２類のユーザがＮＣＴをサポートしないため、基地局は、該混合キャリアのＮＣＴをキャリーするサブフレームにおいてこの２種類のユーザをスケジューリングすることを停止する必要がある。
【００５９】
本実施例のもう１つの態様では、変換後のキャリアが混合キャリアであり、且つＵＥが該混合キャリアの１種類のみをサポートする場合に、該基地局は、ＵＥのアクセスをサポートしないキャリアをキャリーするサブフレームにおいて該ＵＥをスケジューリングすることを停止する必要がある。例えば、ＮＣＴから混合キャリアに変換する場合に、第４類のユーザがＮＣＴのみをサポートするため、基地局は、該混合キャリアのＢＣＴをキャリーするサブフレームにおいてこの種類のユーザをスケジューリングすることを停止する必要がある。
【００６０】
この実施例のもう１つの態様では、変換後のキャリアが混合キャリアであり、該混合キャリアの２つのキャリアのセル識別子が同一であり（セル識別子同一の混合キャリアと略称される）、且つユーザが該混合キャリアにおける全てのキャリアをサポートする場合に、該ユーザは該混合キャリアをサービングセルとしてもよく、該基地局は該混合キャリアにおける任意のサブフレームにおいて該ユーザをスケジューリングしてもよい。
【００６１】
本実施例のもう１つの態様では、変換後のキャリアが混合キャリアであり、該混合キャリアの２つのキャリアのセル識別子が異なり（セル識別子異なりの混合キャリアと略称される）、且つユーザが該混合キャリアにおける全てのキャリアをサポートする場合に、ユーザはそのうちいずれか１つのキャリアをサービングセルとしてもよいし、この２つのキャリアをサービングセルとしてもよい。ユーザがこの２つのキャリアをサービングセルとする場合に、該ユーザは２つのセルとのデュアルコネクティビティ（ｄｕａｌ−ｃｏｎｎｅｃｔｉｖｉｔｙ）を実現している。ユーザがそのうち１つのキャリアをサービングセルとする場合に、該基地局は、該ユーザのサービングセルを決定した後に、該ユーザのサービングセルに対応するキャリアの所在するサブフレームにおいて該ユーザをスケジューリングしてもよい。ユーザがこの２つのキャリアをサービングセルとする場合に、基地局は、時分割多重の方式で、該混合キャリアの各キャリアの所在するサブフレームにおいて該ユーザをスケジューリングしてもよい。
【００６２】
本実施例では、キャリア変換の後に自セル内の全てのユーザにサービスを提供するために、基地局は、自セルのユーザに上記キャリア変換指示メッセージを送信する前に、自セルの変更しようとするキャリアタイプに基づいて、サービスを提供できないユーザを、サービスを提供できるキャリアに切り換えてもよい。ここで、具体的な切り換え方法は従来標準と同じであるため、ここでその説明が省略される。
【００６３】
本実施例の方法によれば、ＢＣＴからＮＣＴへの変換、ＮＣＴからＢＣＴへの変換、ＢＣＴから混合キャリアへの変換、及びＮＣＴから混合キャリアへの変換を実現できる。
【００６４】
ＢＣＴからＮＣＴへの変換の態様では、セル識別子が変換していない場合に、基地局は、上記第１類及び第２類のユーザを外へ切り換えて、図１の方法に従ってキャリア変換を行ってもよく、これは第１類のユーザ及び第２類のユーザはいずれもＮＣＴをサポートしないからである。この態様では、ステップ１０１に対応するものとして、該基地局は、自セルのユーザ（ここで、自セルのユーザは、依然としてサービスを受けることができるユーザである）に該キャリア変換指示メッセージを送信してもよい。この態様では、ステップ１０２に対応するものとして、該基地局は、新しいＮＣＴキャリアにおいて同期信号（例えばＰＳＳ／ＳＳＳ）及び／又はセル専用信号（例えばセル専用パイロット信号）及び／又は対応するシステム情報を送信してもよい。
【００６５】
ＢＣＴからＮＣＴへの変換の態様では、セル識別子が変換した場合に、基地局は、同様に上記第１類及び第２類のユーザを外へ切り換えて、図１の方法に従ってキャリア変換を行ってもよい。この態様では、ステップ１０１に対応するものとして、該基地局は、自セルのユーザ、即ち依然としてサービスを受けることができるユーザに、該キャリア変換指示メッセージを送信し、該キャリア変換指示メッセージは新しいキャリアのセル識別子を含んでもよい。この態様では、ステップ１０２に対応するものとして、該基地局は、新しいＮＣＴキャリアにおいて、新しいセル識別子に一致する同期信号（例えばＰＳＳ／ＳＳＳ）及び／又はセル専用信号（例えばセル専用パイロット信号）及び／又は対応するシステム情報を送信してもよい。
【００６６】
ＮＣＴからＢＣＴへの変換の態様では、セル識別子が変換していない場合に、基地局は、上記第４類のユーザを外へ切り換えて、図１の方法に従ってキャリア変換を行ってもよく、これはこの種類のユーザはＢＣＴをサポートしないからである。この態様では、ステップ１０１に対応するものとして、該基地局は、自セルのユーザ、即ち依然としてサービスを受けることができるユーザに、該キャリア変換指示メッセージを送信してもよい。この態様では、ステップ１０２に対応するものとして、該基地局は、新しいＢＣＴキャリアにおいて同期信号（例えばＰＳＳ／ＳＳＳ）及び／又はセル専用信号（例えばセル専用パイロット信号）及び／又は対応するシステム情報を送信してもよい。
【００６７】
ＮＣＴからＢＣＴへの変換の態様では、セル識別子が変換した場合に、基地局は、同様に上記第４類のユーザを外へ切り換えて、図１の方法に従ってキャリア変換を行ってもよい。この態様では、ステップ１０１に対応するものとして、該基地局は、自セルのユーザ、即ち依然としてサービスを受けることができるユーザに、該キャリア変換指示メッセージを送信し、該キャリア変換指示メッセージは新しいキャリアのセル識別子を含んでもよい。この態様では、ステップ１０２に対応するものとして、該基地局は、新しいＢＣＴキャリアにおいて、新しいセル識別子に一致する同期信号（例えばＰＳＳ／ＳＳＳ）及び／又はセル専用信号（例えばセル専用パイロット信号）及び／又は対応するシステム情報を送信してもよい。
【００６８】
ＢＣＴから第１類混合キャリアへの変換の態様では、セル識別子が変換していない場合に、基地局は、上記第１類のユーザを外へ切り換えて、図１の方法に従ってキャリア変換を行ってもよい。これは、第１類のユーザがＮＣＴをサポートせず、且つサブフレームパターンの方式でＢＣＴキャリアに対してＲＲＭ測定を行うことができないからである。この態様では、ステップ１０１に対応するものとして、該基地局は、自セルのユーザ、即ち依然としてサービスを受けることができ、且つユーザにとって混合キャリアが非透明であるユーザに、該キャリア変換指示メッセージを送信してもよい。依然としてサービスを受けることができ、且つユーザにとって混合キャリアが非透明であるユーザが第３類又は第４類のユーザである可能性があるため、該キャリア変換指示メッセージは、ＢＣＴをキャリーするサブフレームのサブフレームパターン及び／又はＮＣＴをキャリーするサブフレームのサブフレームパターンを含んでもよい。この態様では、ステップ１０２に対応するものとして、該基地局は、新しいＮＣＴキャリアにおいて、単独の同期信号（例えばＰＳＳ／ＳＳＳ）及び／又はセル専用信号（例えばセル専用パイロット信号）及び／又は対応するシステム情報を送信してもよく、ＮＣＴシステム情報はこれが混合キャリアであることを示してもよい。好ましくは、該基地局は、これが混合キャリアであることを示すように、ＢＣＴキャリアのシステム情報を修正してもよい。この態様では、非透明は、ユーザが、変換後のキャリアが混合キャリアであることを知っていることを指し、以下は同様である。
【００６９】
ＢＣＴから第２類混合キャリアへの変換の態様では、セル識別子が変換した場合に、基地局は、上記第１類のユーザを外へ切り換えて、図１の方法に従ってキャリア変換を行ってもよい。これは、第１類のユーザがＮＣＴをサポートせず、且つサブフレームパターンの方式でＢＣＴキャリアに対してＲＲＭ測定を行うことができないからである。この態様では、ステップ１０１に対応するものとして、該基地局は、自セルのユーザ、即ち依然としてサービスを受けることができ、且つユーザにとって混合キャリアが非透明であるユーザに、該キャリア変換指示メッセージを送信してもよい。ここで、依然としてサービスを受けることができ、且つユーザにとって混合キャリアが非透明であるユーザが第３類又は第４類のユーザである可能性があるため、該キャリア変換指示メッセージは、ＢＣＴをキャリーするサブフレームのサブフレームパターン及び／又はＮＣＴをキャリーするサブフレームのサブフレームパターンを含んでもよい。また、セル識別子が変化したため、該キャリア変換指示メッセージは、新しいＮＣＴキャリアのセル識別子をさらに含んでもよい。この態様では、ステップ１０２に対応するものとして、該基地局は、新しいＮＣＴキャリアにおいて、単独の同期信号（例えばＰＳＳ／ＳＳＳ）及び／又はセル専用信号（例えばセル専用パイロット信号）及び／又は対応するシステム情報を送信してもよく、ＮＣＴシステム情報はこれが混合キャリアであることを示してもよい。好ましくは、該基地局は、これが混合キャリアであることを示すように、ＢＣＴキャリアのシステム情報を修正してもよい。
【００７０】
ＮＣＴから第１類混合キャリアへの変換の態様では、セル識別子が変換していない場合に、現在のキャリアがＮＣＴであるため、ＮＣＴによりサービスが提供されたユーザは第１類及び第２類のユーザを含まない。この場合に、基地局は、図１の方法に従って直接にキャリア変換を行う。この態様では、ステップ１０１に対応するものとして、該基地局は、自セルのユーザ、即ち依然としてサービスを受けることができ、且つユーザにとって混合キャリアが非透明であるユーザに、該キャリア変換指示メッセージを送信してもよい。ここで、依然としてサービスを受けることができ、且つユーザにとって混合キャリアが非透明であるユーザが第３類又は第４類のユーザである可能性があるため、該キャリア変換指示メッセージは、ＢＣＴをキャリーするサブフレームのサブフレームパターン及び／又はＮＣＴをキャリーするサブフレームのサブフレームパターンを含んでもよい。この態様では、ステップ１０２に対応するものとして、該基地局は、新しいＢＣＴキャリアにおいて、単独の同期信号（例えばＰＳＳ／ＳＳＳ）及び／又はセル専用信号（例えばセル専用パイロット信号）及び／又は対応するシステム情報を送信してもよい。好ましくは、ＢＣＴシステム情報はこれが混合キャリアであることを示してもよい。好ましくは、該基地局は、これが混合キャリアであることを示すように、ＮＣＴキャリアのシステム情報を修正してもよい。
【００７１】
ＮＣＴから第２類混合キャリアへの変換の態様では、セル識別子が変換した場合に、現在のキャリアがＮＣＴであるため、ＮＣＴによりサービスが提供されたユーザは第１類及び第２類のユーザを含まない。この場合に、基地局は、図１の方法に従って直接にキャリア変換を行う。この態様では、ステップ１０１に対応するものとして、該基地局は、自セルのユーザ、即ち依然としてサービスを受けることができ、且つユーザにとって混合キャリアが非透明であるユーザに、該キャリア変換指示メッセージを送信してもよい。ここで、依然としてサービスを受けることができ、且つユーザにとって混合キャリアが非透明であるユーザが第３類又は第４類のユーザである可能性があるため、該キャリア変換指示メッセージは、ＢＣＴをキャリーするサブフレームのサブフレームパターン及び／又はＮＣＴをキャリーするサブフレームのサブフレームパターンを含んでもよい。また、セル識別子が変化したため、該キャリア変換指示メッセージは、新しいＮＣＴキャリア及び／又はＢＣＴキャリアのセル識別子をさらに含んでもよい。この態様では、ステップ１０２に対応するものとして、該基地局は、新しいＢＣＴキャリアにおいて、単独の同期信号（例えばＰＳＳ／ＳＳＳ）及び／又はセル専用信号（例えばセル専用パイロット信号）及び／又は対応するシステム情報を送信してもよい。好ましくは、ＢＣＴシステム情報はこれが混合キャリアであることを示してもよい。好ましくは、該基地局は、これが混合キャリアであることを示すように、混合キャリアのシステム情報を修正してもよい。
【００７２】
第１類混合キャリアからＢＣＴへの変換の態様では、セル識別子が変換していない場合に、基地局は、上記の第４類のユーザを外へ切り換えて、図１の方法に従ってキャリア変換を行ってもよく、これは第４類のユーザがＢＣＴをサポートしないからである。この態様では、ステップ１０１に対応するものとして、該基地局は、依然としてサービスを受けることができ、且つユーザにとって混合キャリアが非透明であるユーザに、該キャリア変換指示メッセージを送信してもよい。この態様では、ステップ１０２に対応するものとして、好ましくは、基地局は、ＢＣＴのシステム情報を修正し、混合キャリアを示す部分を除去してもよい。
【００７３】
第１類混合キャリアからＮＣＴへの変換の態様では、セル識別子が変換していない。第１類混合キャリアによりサービスが提供されるユーザが第２類、第３類及び第４類のユーザのみであることを考慮し、基地局は、上記の第２類のユーザを外へ切り換えて、図１の方法に従ってキャリア変換を行ってもよい。この態様では、ステップ１０１に対応するものとして、該基地局は、依然としてサービスを受けることができ、且つユーザにとって混合キャリアが非透明であるユーザに、該キャリア変換指示メッセージを送信してもよい。この態様では、ステップ１０２に対応するものとして、好ましくは、基地局は、ＮＣＴのシステム情報を修正し、混合キャリアを示す部分を除去してもよい。
【００７４】
第２類混合キャリアからＢＣＴへの変換の態様では、セル識別子が変換した場合に、第４類のユーザがＢＣＴをサポートしないため、基地局は、上記の第４類のユーザを外へ切り換えて、図１の方法に従ってキャリア変換を行ってもよい。この態様では、ステップ１０１に対応するものとして、該基地局は、依然としてサービスを受けることができ、且つユーザにとって混合キャリアが非透明であるユーザに、該キャリア変換指示メッセージを送信してもよい。この態様では、ステップ１０２に対応するものとして、好ましくは、基地局は、ＢＣＴのシステム情報を修正し、混合キャリアを示す部分を除去してもよい。
【００７５】
第２類混合キャリアからＮＣＴへの変換の態様では、セル識別子が変換していない。第１類混合キャリアによりサービスが提供されるユーザが第２類、第３類及び第４類のユーザのみであることを考慮し、基地局は、上記の第２類のユーザを外へ切り換えて、図１の方法に従ってキャリア変換を行ってもよい。この態様では、ステップ１０１に対応するものとして、該基地局は、依然としてサービスを受けることができ、且つユーザにとって混合キャリアが非透明であるユーザに、該キャリア変換指示メッセージを送信してもよい。この態様では、ステップ１０２に対応するものとして、好ましくは、基地局は、ＮＣＴのシステム情報を修正し、混合キャリアを示す部分を除去してもよい。
【００７６】
本発明の実施例に係るキャリア変換方法によれば、ＢＣＴ及びＮＣＴの利点をよりよく発揮でき、キャリアサービスユーザのスムースな移行を実現できる。
【００７７】
＜実施例２＞
本発明の実施例はキャリア変換方法をさらに提供し、該方法は実施例１の方法に対応するユーザ側の処理である。図２は該方法のフローチャートである。図２に示すように、該方法は下記のステップを含む。
【００７８】
ステップ２０１：ユーザ装置は、基地局により送信されたキャリア変換指示メッセージを受信した後に、予め約束され、或いはキャリア変換指示メッセージによりキャリーされた時間指示情報に基づいてキャリア変換のタイミングを決定する。
【００７９】
ステップ２０２：ユーザ装置は、決定されたキャリア変換のタイミングにおいてキャリア変換を行う。
【００８０】
ステップ２０１において、実施例１に説明されたように、基地局とユーザとはキャリア変換のタイミングを予め約束してもよいし、キャリア変換指示メッセージを介して時間指示情報をキャリーし、該時間指示情報によりキャリア変換のタイミングを示してもよい。これによって、ユーザは、決定されたキャリア変換のタイミングでキャリア変換を行うことができる。
【００８１】
ステップ２０２において、ユーザ装置は、キャリア変換のタイミングにおいて、キャリア変換指示メッセージに含まれたセル識別子（キャリア変換指示メッセージは新しいセルのセル識別子又は元セルのセル識別子をキャリーし、セル識別子が変化し、或いは変化していない）又は元のセル識別子（キャリア変換指示メッセージはセル識別子をキャリーせず、セル識別子が変化していない）を用いて、セルのシステムメッセージを認識し、セルの共通信号及びダウンリンク制御信号を受信し、ユーザ装置のアップリンク信号におけるセル識別子に関連するスクランブリングシーケンス及び参照信号シーケンスなどを変更してもよい。ここでその説明が省略される。
【００８２】
本実施例の１つの態様では、変換後のキャリアが同一のセル識別子を有する混合キャリアであり、且つユーザ装置が混合キャリアにおける全てのキャリアをサポートする場合に、ユーザ装置は、混合キャリアをそのサービングセルとしてもよく、この場合に、基地局は該混合キャリアの任意のサブフレームにおいて該ユーザをスケジューリングしてもよい。
【００８３】
本実施例のもう１つの態様では、変換後のキャリアが異なるセル識別子を有する混合キャリアであり、且つユーザ装置が混合キャリアにおける全てのキャリアをサポートする場合に、ユーザ装置は、混合キャリアの２つのキャリアをそのサービングセルとし、該２つのキャリアに対応するセルとのデュアルコネクティビティを実現し、基地局は時分割多重の方式で２つのキャリアにおいて該ユーザをスケジューリングしてもよい。ユーザ装置は、混合キャリアにおける１つのキャリアをそのサービングセルとし、該キャリアの所在するサブフレームのみを用い、基地局は該ユーザのサービングセルを決定した後に、該セルに対応するキャリアの所在するサブフレームにおいて該ユーザをスケジューリングする。
【００８４】
本実施例では、変換後のキャリアが混合キャリアである場合に、混合キャリアを認識できないＵＥについて、１つの態様では、現在のキャリアが混合キャリアに変わる前に、現在のキャリアが既に該ＵＥのサービングセルであるときに、ＵＥは直接に該混合キャリアをそのサービングセルとし、基地局は該ＵＥアクセスをサポートしないサブフレームにおいて該ＵＥをスケジューリングすることを回避すればよい。もう１つの態様では、該ＵＥのサービングセルが該混合キャリアを用いるセルではない場合に、ＵＥのサービングセルは、サブフレームパターンの方式で該混合サブフレームにおける該ＵＥのサポートするキャリアを測定するようにＵＥを構成して、該ＵＥが混合キャリアのセルをそのサービングセルとするように、測定結果に基づいて、条件を満たしたＵＥを該混合キャリアに切り換える。この場合に、新しいセルの基地局は、該ＵＥアクセスをサポートしないサブフレームにおいて該ＵＥをスケジューリングすることを回避する。もう１つの態様では、ＵＥが該混合キャリアを用いるセルのカバー範囲内に起動した場合に、ＵＥは正常キャリアの方式で該セルを発見、測定し、測定結果がアクセス条件を満たした場合に、ＵＥは該セルに順調にアクセスでき、この場合に、該セルの基地局は、該ＵＥアクセスをサポートしないサブフレームにおいて該ＵＥをスケジューリングすることを回避すればよい。この態様では、ＵＥによりサポートされているキャリアのシステム情報にキャリーされた利用可能なＰＲＡＣＨ  ｐｒｅａｍｂｌｅを送信するリソースはいずれも該キャリアをキャリーするためのサブフレームにある。
【００８５】
本実施例では、キャリア変換指示メッセージについて、実施例１に詳細に説明されているため、ここでその説明が省略される。
【００８６】
本発明の実施例に係るキャリア変換方法によれば、ＢＣＴ及びＮＣＴの利点をよりよく発揮でき、キャリアサービスユーザのスムースな移行を実現できる。
【００８７】
＜実施例３＞
本発明の実施例はキャリア変換方法をさらに提供し、図３は該方法のフローチャートである。図３に示すように、該方法は下記のステップを含む。
【００８８】
ステップ３０１：基地局は、自セルの全てのＵＥを、該ＵＥに対してサービスを提供可能なキャリアに切り換える。
【００８９】
ここで、具体的な切り換え方法は従来標準と同じであり、ここでその説明が省略される。
【００９０】
ステップ３０２：基地局は、キャリアタイプを変換し、対応するシステム情報の内容及び／又は送信方式、並びに共通信号のシーケンス及び／又は送信方式を修正する。
【００９１】
本実施例では、現在のキャリア以外の、自セルのＵＥに対してサービスを提供可能なキャリアを過渡のものとして、キャリアタイプを変換する前に、全てのＵＥを外へ切り換えて、キャリアタイプの変換を行う。そして、該ＵＥに対してサービスを提供可能な各基地局（即ち該ＵＥに対してサービスを提供するキャリアに対応する基地局。説明の便宜上、以下は過渡キャリアと略称される）は、実際の状況に応じてこれらのＵＥを外から切り換える。過渡キャリアに対応する基地局の処理について、他の実施例において説明される。
【００９２】
本実施例では、キャリア変換を行うために外へ切り換え、キャリア変換後に再び変換後のキャリアに切り換えるＵＥについて、変換後のキャリアで動作してもよい。
【００９３】
１つの態様では、変換後のキャリアが混合キャリアであり、且つ変換後のキャリアに切り換えられたキャリアのＵＥが混合キャリアの１つ種類のみをサポートする場合に、基地局は、ＵＥアクセスをサポートしないキャリアをキャリーするサブフレームにおいて該ＵＥをスケジューリングすることを停止する。例えば、第１類ユーザ及び第２類ユーザがＮＣＴをサポートしない場合に、基地局は、混合キャリアに切り換えた後に、ＮＣＴをキャリーするサブフレームにおいて該ＵＥをスケジューリングすることを停止し、もう１つの例として、第４類ユーザがＢＣＴをサポートしない場合に、基地局は、混合キャリアに切り換えた後に、ＢＣＴをキャリーするサブフレームにおいて該ＵＥをスケジューリングすることを停止する。
【００９４】
もう１つの態様では、変換後のキャリアがセル識別子の同一の混合キャリアであり、且つＵＥが混合キャリアにおける全てのキャリアをサポートする場合に、ＵＥは該混合キャリアをそのサービングセルとしてもよく、基地局は、混合キャリアにおける任意のサブフレームにおいて該ＵＥをスケジューリングしてもよい。
【００９５】
もう１つの態様では、変換後のキャリアが異なるセル識別子を有する混合キャリアであり、且つＵＥが混合キャリアにおける全てのキャリアをサポートする場合に、ＵＥはそのうち１つのキャリアをそのサービングセルとしてもよく、この場合に、基地局はＵＥのサービングセルを決定し、ＵＥのサービングセルに対応するキャリアの所在するサブフレームにおいてＵＥをスケジューリングする。ＵＥは、この２つのキャリアをそのサービングセルとし、時分割多重の方式でこの２つのセルとのデュアルコネクティビティを実現してもよく、この場合に、基地局は、時分割多重の方式で、混合キャリアの各キャリアの所在するサブフレームにおいてＵＥをスケジューリングしてもよい。
【００９６】
本実施例の方法によれば、ＢＣＴからＮＣＴへの変換、ＮＣＴからＢＣＴへの変換、ＢＣＴから混合キャリアへの変換、及びＮＣＴから混合キャリアへの変換を実現できる。
【００９７】
ＢＣＴからＮＣＴへの変換の態様では、セル識別子が変化していない場合に、ステップ３０２に対応するものとして、基地局は、新しいＮＣＴキャリアにおいて同期信号（例えばＰＳＳ／ＳＳＳ）及び／又はセル専用信号（例えばセル専用パイロット信号）及び／又は対応するシステム情報を送信してもよい。
【００９８】
ＢＣＴからＮＣＴへの変換の態様では、セル識別子が変化した場合に、ステップ３０２に対応するものとして、基地局は、新しいＮＣＴキャリアにおいて、新しいセル識別子に一致する同期信号（例えばＰＳＳ／ＳＳＳ）及び／又はセル専用信号（例えばセル専用パイロット信号）及び／又は対応するシステム情報を送信してもよい。
【００９９】
ＮＣＴからＢＣＴへの変換の態様では、セル識別子が変化していない場合に、ステップ３０２に対応するものとして、基地局は、新しいＢＣＴキャリアにおいて同期信号（例えばＰＳＳ／ＳＳＳ）及び／又はセル専用信号（例えばセル専用パイロット信号）及び／又は対応するシステム情報を送信してもよい。
【０１００】
ＮＣＴからＢＣＴへの変換の態様では、セル識別子が変化した場合に、ステップ３０２に対応するものとして、基地局は、新しいＢＣＴキャリアにおいて、新しいセル識別子に一致する同期信号（例えばＰＳＳ／ＳＳＳ）及び／又はセル専用信号（例えばセル専用パイロット信号）及び／又は対応するシステム情報を送信してもよい。
【０１０１】
ＢＣＴから第１類混合キャリアへの変換の態様では、セル識別子が変化していない場合に、ステップ３０２に対応するものとして、基地局は、新しいＮＣＴキャリアにおいて、単独の同期信号（例えばＰＳＳ／ＳＳＳ）及び／又はセル専用信号（例えばセル専用パイロット信号）及び／又は対応するシステム情報を送信してもよい。好ましくは、ＮＣＴシステム情報は、これが混合キャリアであることを示してもよい。好ましくは、基地局は、これが混合キャリアであることを示すように、ＢＣＴキャリアのシステム情報を修正してもよい。
【０１０２】
ＢＣＴから第２類混合キャリアへの変換の態様では、セル識別子が変化した場合に、ステップ３０２に対応するものとして、基地局は、新しいＮＣＴキャリアにおいて、単独の同期信号（例えばＰＳＳ／ＳＳＳ）及び／又はセル専用信号（例えばセル専用パイロット信号）及び／又は対応するシステム情報を送信してもよい。好ましくは、ＮＣＴシステム情報は、これが混合キャリアであることを示してもよい。好ましくは、基地局は、これが混合キャリアであることを示すように、ＢＣＴキャリアのシステム情報を修正してもよい。
【０１０３】
ＮＣＴから第１類混合キャリアへの変換の態様では、セル識別子が変化していない場合に、ステップ３０２に対応するものとして、基地局は、新しいＢＣＴキャリアにおいて、単独の同期信号（例えばＰＳＳ／ＳＳＳ）及び／又はセル専用信号（例えばセル専用パイロット信号）及び／又は対応するシステム情報を送信してもよい。好ましくは、ＢＣＴシステム情報は、これが混合キャリアであることを示してもよい。好ましくは、基地局は、これが混合キャリアであることを示すように、ＮＣＴキャリアのシステム情報を修正してもよい。
【０１０４】
ＮＣＴから第２類混合キャリアへの変換の態様では、セル識別子が変化した場合に、ステップ３０２に対応するものとして、基地局は、新しいＢＣＴキャリアにおいて、単独の同期信号（例えばＰＳＳ／ＳＳＳ）及び／又はセル専用信号（例えばセル専用パイロット信号）及び／又は対応するシステム情報を送信してもよい。好ましくは、ＢＣＴシステム情報は、これが混合キャリアであることを示してもよい。好ましくは、基地局は、これが混合キャリアであることを示すように、ＮＣＴキャリアのシステム情報を修正してもよい。
【０１０５】
第１類混合キャリアからＢＣＴへの変換の態様では、セル識別子が変化していない場合に、ステップ３０２に対応するものとして、好ましくは、基地局は、ＢＣＴのシステム情報を修正し、混合キャリアを示す部分を除去してもよい。
【０１０６】
第１類混合キャリアからＮＣＴへの変換の態様では、セル識別子が変化していない場合に、ステップ３０２に対応するものとして、好ましくは、基地局は、ＮＣＴのシステム情報を修正し、混合キャリアを示す部分を除去してもよい。
【０１０７】
第２類混合キャリアからＢＣＴへの変換の態様では、セル識別子が変化した場合に、ステップ３０２に対応するものとして、好ましくは、基地局は、ＢＣＴのシステム情報を修正し、混合キャリアを示す部分を除去してもよい。
【０１０８】
第２類混合キャリアからＮＣＴへの変換の態様では、セル識別子が変化した場合に、ステップ３０２に対応するものとして、好ましくは、基地局は、ＮＣＴのシステム情報を修正し、混合キャリアを示す部分を除去してもよい。
【０１０９】
本発明の実施例に係るキャリア変換方法によれば、ＢＣＴ及びＮＣＴの利点をよりよく発揮でき、キャリアサービスユーザのスムースな移行を実現できる。
【０１１０】
＜実施例４＞
本発明の実施例はキャリア変換方法を提供し、該方法は実施例３の方法に対応する過渡キャリアの処理であり、図４は該方法のフローチャートである。図４に示すように、該方法は下記のステップを含む。
【０１１１】
ステップ４０１：基地局は、ＵＥに測定構成メッセージを送信し、該ＵＥが指定されたキャリアを測定するように指示する。
【０１１２】
ここで、基地局は、ＲＲＣシグナリングを介して該測定構成メッセージをキャリーし、即ち該ＲＲＣシグナリングを介して、該ＵＥが指定キャリアを測定するように構成してもよい。
【０１１３】
ここで、実施例３の方法に対応するものとして、該基地局は、該ＵＥが実施例２の基地局により変換されたキャリアに対して測定するように構成してもよい。ここで、該ＵＥは、実施例３の基地局から本実施例の基地局へ切り換えられたＵＥであってもよく、該ＵＥは上記変換後のキャリアをサポートしてもよいし、該ＵＥは、本実施例の基地局が自分のポリシーに基づいて決定されたセル内のＵＥであってもよいが、本実施例はこれに限定されない。
【０１１４】
ステップ４０２：該基地局は、該ＵＥの該指定されたキャリアに対する測定報告に基づいて、該ＵＥを該指定されたキャリアに切り換えるか否かを決定する。
【０１１５】
ここで、具体的な決定方法は従来の標準を参照してもよく、ここでその説明が省略される。
【０１１６】
ステップ４０３：該基地局は、測定報告に基づいて該ＵＥを該指定されたキャリアに切り換えると決定した場合に、該ＵＥに切り換えコマンド及び切り換え補助情報を送信し、該ＵＥを該指定されたキャリアに切り換える。
【０１１７】
ここで、該ＵＥを実施例３の基地局により切り換えられたキャリアに切り換えることを加速させるために、本実施例の基地局は、該ＵＥに、切り換えに必要な補助情報（本実施例では、切り換え補助方法と称される）を提供してもよい。該切り換え補助情報は、上記の切り換えコマンドに含まれ、上記切り換えコマンドを介してキャリーされてもよいし、他のメッセージによりキャリーされてもよいが、本実施例はこれに限定されない。該補助情報の具体的な態様について、以下の実施例において説明される。
【０１１８】
本実施例では、実施例３の異なる切り換えのシナリオに応じて、ステップ４０１において構成された内容は異なる。
【０１１９】
ＢＣＴからＮＣＴへの変換の態様では、セル識別子が変化しても、変化しなくても、ステップ４０１に対応するものとして、基地局は、上記ＲＲＣシグナリングを介して、ＵＥがＮＣＴの方式を用いて上記変換後のキャリアを測定するように構成してもよい。
【０１２０】
ＮＣＴからＢＣＴへの変換の態様では、セル識別子が変化しても、変化しなくても、ステップ４０１に対応するものとして、基地局は、上記ＲＲＣシグナリングを介して、ＵＥがＢＣＴの方式を用いて上記変換後のキャリアを測定するように構成してもよい。
【０１２１】
ＢＣＴ又はＮＣＴから第１類混合キャリア又は第２類混合キャリアへの変換の態様では、ステップ４０１に対応するものとして、基地局は、ＵＥがサブフレームパターンを用いてＢＣＴ方式で上記変換後のキャリアを測定するように、ＢＣＴをキャリーするサブフレームのサブフレームパターンを該ＵＥに構成してもよく、且つ／或いは、ＵＥがサブフレームパターンを用いてＮＣＴ方式で上記変換後のキャリアを測定するように、ＮＣＴをキャリーするサブフレームのサブフレームパターンを該ＵＥに構成してもよい。
【０１２２】
第１類混合キャリア又は第２類混合キャリアからＢＣＴへの変換の態様では、ステップ４０１に対応するものとして、基地局は、上記ＲＲＣシグナリングを介して、ＵＥがＢＣＴの方式を用いて変換後のキャリアを測定するように構成してもよい。
【０１２３】
第１類混合キャリア又は第２類混合キャリアからＮＣＴへの変換の態様では、ステップ４０１に対応するものとして、基地局は、上記ＲＲＣシグナリングを介して、ＵＥがＮＣＴの方式を用いて変換後のキャリアを測定するように構成してもよい。
【０１２４】
本発明の実施例に係るキャリア変換方法によれば、ＢＣＴ及びＮＣＴの利点をよりよく発揮でき、キャリアサービスユーザのスムースな移行を実現できる。
【０１２５】
＜実施例５＞
本発明の実施例はキャリア変換方法をさらに提供し、該方法は実施例４のＵＥ側の処理に対応する。図５は該方法のフローチャートであり、図５に示すように、該方法は下記のステップを含む。
【０１２６】
ステップ５０１：ユーザ装置は、基地局により送信された測定構成情報を受信し、該測定構成情報に基づいて、指定されたキャリアを測定する。
【０１２７】
ここで、該測定構成情報は、ＲＲＣシグナリングによりキャリーされてもよく、実施例４に説明されたため、ここでその説明が省略される。
【０１２８】
ここで、測定が完了した後に、該ＵＥは測定報告を該基地局にフィードバックし、基地局はこれに基づいて該ＵＥを上記指定キャリアに切り換えるか否かを決定する。
【０１２９】
ステップ５０２：該ユーザ装置は、該基地局により送信された切り換えコマンド及び切り換え補助情報を受信した後に、該切り換え補助情報に基づいて、該指定されたキャリアに切り換える。
【０１３０】
ここで、基地局が該ＵＥを上記指定キャリアに切り換えると決定した場合に、本実施例のユーザ装置に切り換えコマンドを送信し、切り換えプロセスを加速させるために、該切り換えコマンドで切り換え補助情報をキャリーしてもよいし、他のメッセージで該切り換え補助情報をキャリーしてもよい。これによって、ユーザは、該切り換え補助情報を用いて該基地局により指定されたキャリアに切り換えることができ、切り換えプロセスを加速させることができる。
【０１３１】
なお、該切り換え補助情報について、以下の実施例に詳細に説明される。
【０１３２】
本発明の実施例に係るキャリア変換方法によれば、ＢＣＴ及びＮＣＴの利点をよりよく発揮でき、キャリアサービスユーザのスムースな移行を実現できる。
【０１３３】
＜実施例６＞
本発明の実施例はキャリア変換方法を提供する。図６は該方法のフローチャートであり、図６に示すように、該方法は下記のステップを含む。
【０１３４】
ステップ６０１：基地局は、現在のキャリアの一部のサブフレームにおいてユーザ装置をスケジューリングすることを停止する。
【０１３５】
ステップ６０２：基地局は、一部のサブフレームのキャリアタイプを変換し、対応するシステム情報の内容及び／又は送信方式、並びに共通信号のシーケンス及び／又は送信方式を修正する。
【０１３６】
ステップ６０３：基地局は、自セル内の変換後のキャリアに切り換え可能なユーザ装置を変換後のキャリアに切り換える。
【０１３７】
ステップ６０４：基地局は、現在のキャリアの一部のサブフレーム以外の他のサブフレームのキャリアタイプを変換後のキャリアに変換する。
【０１３８】
本実施例では、１つのＢＣＴキャリアからもう１つのＮＣＴキャリアへ切り換える場合、又は逆の場合に、セル識別子が変化する可能性があり、切り換えプロセスでは全てのＵＥを他のキャリアへ切り換えて、その後これらを元のキャリアへ切り換える必要がある場合はある。本実施例では、混合キャリアを１つの過渡状態とし、これによって、他のセルへの影響を回避でき、自セル内でＵＥを旧キャリアから新キャリアへの切り換えを実現できる。
【０１３９】
本実施例の１つの態様では、自セルの一部のＵＥが変換後のキャリアをサポートせず、この一部のＵＥに対してサービスを提供し続けられないことを回避するために、ステップ６０１の前に、該基地局は、自セルの変えようとするキャリアタイプに基づいて、サービスを受けることができないＵＥを、サービスを提供可能なキャリアへ切り換えてもよい。具体的な切り換え方法は従来標準を参照してもよく、ここでその説明が省略される。
【０１４０】
ステップ６０１において、一部のサブフレームに対してキャリア変換を行うために、現在のキャリアのこの一部のサブフレームにおいてユーザ装置をスケジューリングすることを停止する。１つの態様では、サブフレームパターン方式でのＲＲＭ測定をサポートする高いリリースのＵＥについて、該基地局は、ＵＥがサブフレームパターンに基づいてサブフレームパターンの方式でＲＲＭ測定を行うように、該ＵＥに、一部のサブフレーム以外の他のサブフレームをキャリーするサブフレームパターンを含む構成情報を送信してもよい。ここで、該構成情報はＲＲＣシグナリングにより実現されてもよい。
【０１４１】
ステップ６０２：システム情報及び共通信号の修正は実施例１を参照してもよく、ここでその説明が省略される。
【０１４２】
ステップ６０３：基地局は、ＲＲＣシグナリングにより、ＵＥがサブフレームパターンの方式で変換後のキャリアを測定するように構成し、例えば自セル内のユーザ装置にキャリア測定構成情報を送信し、該ユーザ装置が変換後のキャリアを測定するように指示し、そして、ＵＥによる変換後のキャリアに対する測定結果に基づいて、該ＵＥを上記変換後のキャリアに切り換えるか否かを決定してもよい。ここで、該基地局は、自セル内の変換後のキャリアに切り換えることができないユーザ装置を、サービスを提供可能なキャリアに切り換え、自セル内の変換後のキャリアに切り換え可能なユーザ装置を、変換後のキャリアに切り換える。
【０１４３】
ステップ６０３において、実施例４と類似するように、基地局は、ユーザ装置が切り換え補助情報に基づいて変換後のキャリアに切り換えるように、該ＵＥに切り換え補助情報を送信してもよい。これによって、ＵＥの切り換えを加速できる。また、該切り換え補助情報の態様は下記の実施例で説明される。
【０１４４】
ステップ６０３において、サブフレームパターンの方式で動作する高いリリースのＵＥについて、同様に、基地局は、ユーザ装置がサブフレームパターンに基づいてサブフレームパターンの方式で動作する（例えば、ＵＥは、アクセスしたキャリアをキャリーするサブフレームでのみＰＤＣＣＨ（Ｐｈｙｓｉｃａｌ  Ｄｏｗｎｌｉｎｋ  Ｃｏｎｔｒｏｌ  Ｃｈａｎｎｅｌ：物理ダウンリンク制御チャネル）を監視し、或いはｅＰＤＣＣＨ（ｅｎｈａｎｃｅｄ−ＰＤＣＣＨ：強化された物理ダウンリンク制御チャネル）に対して単独の構成を行っていない場合に、ＵＥは、アクセスしたキャリアをキャリーするサブフレームでのみｅＰＤＣＣＨを監視する）ように、ユーザ装置に、変換後のキャリアのサブフレームをキャリーするサブフレームパターンを含む構成情報を送信してもよい。ここで、該構成情報は、切り換えプロセスのメッセージによりキャリーされ、例えば構成切り換えメッセージ、又はランダムアクセスプロセスのメッセージ２でキャリーされてもよいが、本実施例はこれに限定されない。これによって、高いリリースのＵＥは、変換後のキャリアで動作できる。
【０１４５】
本実施例では、基地局が一部のサブフレームのキャリアタイプを変換した後に、該基地局は該一部のサブフレームにおいてユーザをスケジューリングしてもよい。例えば、基地局は、ユーザ装置がサブフレームパターンに基づいてサブフレームパターンの方式で動作するように、ユーザ装置に、変換後のキャリアのサブフレームをキャリーするサブフレームパターンを含む構成情報を送信してもよい。
【０１４６】
本実施例では、基地局が他のサブフレームを該変換後のサブフレームに変換した後に、該基地局は、全てのサブフレームにおいてユーザ装置をスケジューリングしてもよい。この場合に、該基地局は、該ユーザ装置を任意のサブフレームにおいてスケジューリングできることをユーザ装置に通知するように、自セルのユーザ装置に通知メッセージを送信してもよい。これによって、サブフレームパターンの方式での動作をサポートする高いリリースのＵＥについて、サブフレームパターンでの方式の動作を停止できる。
【０１４７】
本実施例の方法によれば、ＢＣＴからＮＣＴへの変換（セル識別子が変化した）及びＮＣＴからＢＣＴへの変換（セル識別子が変化した）を実現できる。
【０１４８】
ＢＣＴからＮＣＴへの変換の態様では、セル識別子が変化した場合に、第１類ユーザ及び第２類ユーザがいずれもＮＣＴをサポートしないため、基地局は、まず、第１類ユーザ及び第２類ユーザを外へ切り換えてもよい。そして、ステップ６０２に対応するものとして、基地局は、新しいＮＣＴキャリアにおいて、新しいセル識別子に一致する同期信号（例えばＰＳＳ／ＳＳＳ）及び／又はセル専用信号（例えばセル専用パイロット信号）及び／又は対応するシステム情報を送信してもよい。
【０１４９】
ＮＣＴからＢＣＴへの変換の態様では、セル識別子が変化した場合に、第４類ユーザがＢＣＴをサポートしないため、基地局は、まず、第４類ユーザを外へ切り換えてもよい。そして、ステップ６０２に対応するものとして、基地局は、新しいＢＣＴキャリアにおいて、新しいセル識別子に一致する同期信号（例えばＰＳＳ／ＳＳＳ）及び／又はセル専用信号（例えばセル専用パイロット信号）及び／又は対応するシステム情報を送信してもよい。
【０１５０】
本実施例では、本実施例の基地局側に対応するＵＥ側の処理は、実施例５の方法で実現されてもよいが、ここでその説明が省略される。
【０１５１】
本発明の実施例に係るキャリア変換方法によれば、ＢＣＴ及びＮＣＴの利点をよりよく発揮でき、キャリアサービスユーザのスムースな移行を実現できる。
【０１５２】
＜実施例７＞
本発明の実施例はキャリア変換方法を提供する。図７は該方法のフローチャートであり、図７に示すように、該方法は下記のステップを含む。
【０１５３】
ステップ７０１：基地局は、ユーザ装置が切り換え補助情報に基づいて現在のキャリアタイプを基地局により指定されたキャリアタイプに変換するように、ユーザ装置に切り換えコマンド及び切り換え補助情報を送信する。
【０１５４】
本実施例では、ＵＥを該ＵＥのサポートする他のキャリアに対応するセルに切り換えると基地局により決定された場合に、例えば実施例４のシナリオ又は実施例６のシナリオでは、該基地局は該ＵＥに切り換え補助情報を送信することで、該ＵＥの切り換えを加速する。
【０１５５】
本実施例では、該切り換え補助情報は、ダウンリンク同期に関連する情報であってもよいし、アップリンクランダムアクセスに関連する情報であってもよいし、現在のキャリアと変換後のキャリアとが同一の状態にあるか否かを示す指示情報であってもよい。或いは、これらの情報の任意の組み合わせであってもよいが、本実施例はこれに限定されない。
【０１５６】
ここで、実施例４及び６のシナリオに応じて、上記のダウンリンク同期に関連する情報を用いて、変換後のキャリアのダウンリンクタイミングと現在のキャリア（変換前のキャリア）と同一であることをＵＥに指示することで、ＵＥの切り換えを加速してもよく、例えば補助情報により、ＵＥが同期信号の位置に対して迅速に位置決めすることができる。
【０１５７】
ここで、実施例４及び６のシナリオに応じて、上記のアップリンクランダムアクセスに関連する情報を用いて、変換後のキャリアにおいて依然として変換前のキャリアのＴＡ（Ｔｉｍｉｎｇ  Ａｄｖａｎｃｅ：タイミングアドバンス）及び変換前のキャリアに用いられたＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ：セル無線ネットワーク一時識別子）を再利用できることをＵＥに指示してもよい。これによって、ＵＥは、ターゲットキャリア（変換後のキャリア）においてランダムにアクセスすることなく、新しいキャリアに直接に切り換えることができる。
【０１５８】
ここで、本実施例では、２つのキャリアが１つの状態にあることをさらに定義してもよく、該状態において、２つのキャリアのアップリンク及びダウンリンクのタイミングがいずれも同一であると見なされる。或いは、２つのキャリアが１つの状態にあることを定義してもよく、該状態において、ＵＥがランダムアクセスを行わず、切り換えコマンドを受信した後に直接に１つのキャリアからもう１つのキャリアへ切り換える。この場合に、実施例４及び６のシナリオに応じて、基地局は、変換前のキャリアと変換後のキャリアとが同一の状態にあるか否かをＵＥに直接に通知し、上記の状態にある場合に、ＵＥがダウンリンク同期及び／又はアップリンク同期のプロセスを直接に省略し、或いは加速させ、或いはターゲットキャリアに直接に切り換えてもよい。
【０１５９】
本発明の実施例に係るキャリア変換方法によれば、ＵＥを新しいキャリアに切り換えるプロセスを加速できる。
【０１６０】
＜実施例８＞
本発明の実施例はキャリア変換方法をさらに提供し、該方法は実施例７に対応するＵＥ側の処理であり、図８に示すように、該方法は下記のステップを含む。
【０１６１】
ステップ８０１：ユーザ装置は、基地局により送信された切り換えコマンド及び切り換え補助情報を受信する。
【０１６２】
ステップ８０２：ユーザ装置は、切り換え補助情報に基づいて、現在のキャリアタイプを、基地局により指定されたキャリアタイプに変換する。
【０１６３】
本実施例では、該切り換え補助情報は実施例７で既に説明され、ここでその内容を援用し、その説明が省略される。
【０１６４】
本実施例の方法によれば、ＵＥの新しいキャリアへの切り換えを加速できる。
【０１６５】
本発明の実施例は基地局をさらに提供し、以下の実施例９に述べるように、該基地局の問題解決の原理は実施例１の方法と類似するため、その具体的な実施は実施例１の方法を参照することができるから、重複する内容の説明が省略される。
【０１６６】
＜実施例９＞
本発明の実施例は基地局をさらに提供し、図９は該基地局の構成を示す図である。図９に示すように、該基地局は、送信部９１及び処理部９２を含む。
【０１６７】
送信部９１は、自セルのＵＥにキャリア変換指示メッセージを送信し、自セルのキャリアタイプが変わることをキャリア変換指示メッセージを介してＵＥに指示する。
【０１６８】
処理部９２は、キャリアタイプを変換し、対応するシステム情報の内容及び／又は送信方式、並びに共通信号のシーケンス及び／又は送信方式を修正する。
【０１６９】
１つの態様では、該基地局は切換部９３をさらに含む。
【０１７０】
切換部９３は、送信部９１が自セルのＵＥにキャリア変換指示メッセージを送信する前に、自セルの変えようとするキャリアタイプに基づいて、サービスを受けることができないＵＥを、サービスを提供可能なキャリアに切り換える。
【０１７１】
本実施例では、該キャリア変換指示メッセージは、変わった後のキャリアタイプのセル識別子、及び／又はＢＣＴをキャリーするサブフレームのサブフレームパターン、及び／又はＮＣＴをキャリーするサブフレームのサブフレームパターンを含む。
【０１７２】
１つの態様では、基地局は第１のスケジューリング部９４をさらに含む。
【０１７３】
第１のスケジューリング部９４は、変換後のキャリアが混合キャリアである場合に、ＵＥアクセスをサポートしないキャリアをキャリーするサブフレームにおいて該ＵＥをスケジューリングすることを停止する。
【０１７４】
１つの態様では、基地局は第２のスケジューリング部９５をさらに含む。
【０１７５】
第２のスケジューリング部９５は、変換後のキャリアが混合キャリアであり、且つＵＥが該混合キャリアの１種類のみをサポートする場合に、ＵＥアクセスをサポートしないキャリアをキャリーするサブフレームにおいて該ＵＥをスケジューリングすることを停止する。
【０１７６】
１つの態様では、基地局は第３のスケジューリング部９６をさらに含む。
【０１７７】
第３のスケジューリング部９６は、変換後のキャリアが同一のセル識別子を有する混合キャリアであり、且つＵＥが該混合キャリアにおける全てのキャリアをサポートする場合に、混合キャリアにおける任意のサブフレームにおいて該ＵＥをスケジューリングする。
【０１７８】
１つの態様では、基地局は第４のスケジューリング部９７をさらに含む。
【０１７９】
第４のスケジューリング部９７は、変換後のキャリアが異なるセル識別子を有する混合キャリアであり、且つＵＥが該混合キャリアにおける全てのキャリアをサポートする場合に、該ＵＥのサービングセルを決定し、該ＵＥのサービングセルに対応するキャリアの所在するサブフレームにおいて該ＵＥをスケジューリングし、或いは時分割多重の方式で、該混合キャリアの各キャリアの所在するサブフレームにおいて該ＵＥをスケジューリングする。
【０１８０】
本発明の実施例に係る基地局によれば、ＢＣＴ及びＮＣＴの利点をよりよく発揮でき、キャリアサービスユーザのスムースな移行を実現できる。
【０１８１】
本発明の実施例はユーザ装置をさらに提供し、以下の実施例１０に述べるように、該ユーザ装置の問題解決の原理は実施例２の方法と類似するため、その具体的な実施は実施例２の方法を参照することができるから、重複する内容の説明が省略される。
【０１８２】
＜実施例１０＞
本発明の実施例はユーザ装置を提供し、図１０は該ユーザ装置の構成を示す図である。図１０に示すように、該ユーザ装置は、決定部１００１及び切換部１００２を含む。
【０１８３】
決定部１００１は、基地局により送信されたキャリア変換指示メッセージを受信した後に、予め約束され、或いはキャリア変換指示メッセージによりキャリーされた時間指示情報に基づいてキャリア変換のタイミングを決定する。
【０１８４】
切換部１００２は、決定部１００１により決定されたキャリア変換のタイミングにおいてキャリア変換を行う。
【０１８５】
１つの態様では、切換部１００２は、キャリア変換指示メッセージが変換後のキャリアのセル識別子を含む場合に、キャリア変換のタイミングにおいて、変換後のキャリアのセル識別子を用いて、セルのシステムメッセージを認識し、セルの共通信号及びダウンリンク制御信号を受信し、ユーザ装置のアップリンク信号におけるセル識別子に関連するスクランブリングシーケンス及び参照信号シーケンスを変更する。
【０１８６】
１つの態様では、該ユーザ装置は第１の選択部１００３をさらに含む。
【０１８７】
第１の選択部１００３は、変換後のキャリアが同一のセル識別子を有する混合キャリアであり、且つユーザ装置が混合キャリアにおける全てのキャリアをサポートする場合に、混合キャリアをそのサービングセルとする。
【０１８８】
１つの態様では、該ユーザ装置は第２の選択部１００４をさらに含む。
【０１８９】
第２の選択部１００４は、変換後のキャリアが異なるセル識別子を有する混合キャリアであり、且つユーザ装置が混合キャリアにおける全てのキャリアをサポートする場合に、混合キャリアをそのサービングセルとし、或いは混合キャリアにおける１つのキャリアをそのサービングセルとする。
【０１９０】
本発明の実施例に係るユーザ装置によれば、ＢＣＴ及びＮＣＴの利点をよりよく発揮でき、キャリアサービスユーザのスムースな移行を実現できる。
【０１９１】
本発明の実施例は基地局をさらに提供し、以下の実施例１１に述べるように、該基地局の問題解決の原理は実施例３の方法と類似するため、その具体的な実施は実施例３の方法を参照することができるから、重複する内容の説明が省略される。
【０１９２】
＜実施例１１＞
本発明の実施例は基地局を提供し、図１１は該基地局の構成を示す図である。図１１に示すように、該基地局は切換部１１０１及び処理部１１０２を含む。
【０１９３】
切換部１１０１は、自セルの全てのＵＥを、ＵＥに対してサービスを提供可能なキャリアに切り換える。
【０１９４】
処理部１１０２は、キャリアタイプを変換し、対応するシステム情報の内容及び／又は送信方式、並びに共通信号のシーケンス及び／又は送信方式を修正する。
【０１９５】
１つの態様では、該基地局は第１のスケジューリング部１００３をさらに含む。
【０１９６】
第１のスケジューリング部１００３は、変換後のキャリアが混合キャリアであり、且つ変換後のキャリアに切り換えられたＵＥが該混合キャリアの１種類のみをサポートする場合に、ＵＥアクセスをサポートしないキャリアをキャリーするサブフレームにおいて該ＵＥをスケジューリングすることを停止する。
【０１９７】
１つの態様では、基地局は第２のスケジューリング部１００４をさらに含む。
【０１９８】
第２のスケジューリング部１００４は、変換後のキャリアが同一のセル識別子を有する混合キャリアであり、且つＵＥが該混合キャリアにおける全てのキャリアをサポートする場合に、混合キャリアにおける任意のサブフレームにおいて該ＵＥをスケジューリングする。
【０１９９】
１つの態様では、基地局は第３のスケジューリング部１００５をさらに含む。
【０２００】
第３のスケジューリング部１００５は、変換後のキャリアが異なるセル識別子を有する混合キャリアであり、且つＵＥが混合キャリアにおける全てのキャリアをサポートする場合に、ＵＥのサービングセルを決定し、ＵＥのサービングセルに対応するキャリアの所在するサブフレームにおいてＵＥをスケジューリングし、或いは時分割多重の方式で、混合キャリアの各キャリアの所在するサブフレームにおいてＵＥをスケジューリングする。
【０２０１】
本発明の実施例に係る基地局によれば、ＢＣＴ及びＮＣＴの利点をよりよく発揮でき、キャリアサービスユーザのスムースな移行を実現できる。
【０２０２】
本発明の実施例は基地局をさらに提供し、以下の実施例１２に述べるように、該基地局の問題解決の原理は実施例４の方法と類似するため、その具体的な実施は実施例４の方法を参照することができるから、重複する内容の説明が省略される。
【０２０３】
＜実施例１２＞
本発明の実施例は基地局を提供し、図１２は該基地局の構成を示す図である。図１２に示すように、該基地局は第１の送信部１２０１、判断部１２０２及び第２の送信部１２０３を含む。
【０２０４】
第１の送信部１２０１は、ＵＥに測定構成メッセージを送信し、ＵＥが指定キャリアに対して測定を行うように指示する。
【０２０５】
判断部１２０２は、ＵＥの指定キャリアに対する測定報告に基づいて、ＵＥを指定キャリアに切り換えるか否かを決定する。
【０２０６】
第２の送信部１２０３は、ＵＥを指定キャリアに切り換えると判断部１２０２により決定された場合に、ＵＥに切り換え補助情報を送信し、ＵＥを指定キャリアに切り換える。
【０２０７】
本発明の実施例に係る基地局によれば、ＢＣＴ及びＮＣＴの利点をよりよく発揮でき、キャリアサービスユーザのスムースな移行を実現できる。
【０２０８】
本発明の実施例はユーザ装置をさらに提供し、以下の実施例１３に述べるように、該ユーザ装置の問題解決の原理は実施例５の方法と類似するため、その具体的な実施は実施例５の方法を参照することができるから、重複する内容の説明が省略される。
【０２０９】
＜実施例１３＞
本発明の実施例はユーザ装置をさらに提供し、図１３は該ユーザ装置の構成を示す図である。図１３に示すように、該ユーザ装置は、測定部１３０１及び切換部１３０２を含む。
【０２１０】
測定部１３０１は、基地局により送信された測定構成情報に基づいて、基地局により指定されたキャリアを測定する。
【０２１１】
切換部１３０２は、基地局により送信された切り換えコマンド及び切り換え補助情報を受信した後に、切り換え補助情報に基づいて指定キャリアに切り換える。
【０２１２】
本発明の実施例に係るユーザ装置によれば、ＢＣＴ及びＮＣＴの利点をよりよく発揮でき、キャリアサービスユーザのスムースな移行を実現できる。
【０２１３】
本発明の実施例は基地局をさらに提供し、以下の実施例１４に述べるように、該基地局の問題解決の原理は実施例６の方法と類似するため、その具体的な実施は実施例６の方法を参照することができるから、重複する内容の説明が省略される。
【０２１４】
＜実施例１４＞
本発明の実施例は基地局を提供し、図１４は該基地局の構成を示す図である。図１４に示すように、該基地局は第１のスケジューリング部１４０１、第１の処理部１４０２、第１の切換部１４０３、及び第２の処理部１４０４を含む。
【０２１５】
第１のスケジューリング部１４０１は、現在のキャリアの一部のサブフレームにおいてユーザ装置をスケジューリングすることを停止する。
【０２１６】
第１の処理部１４０２は、該一部のサブフレームのキャリアタイプを変換し、対応するシステム情報の内容及び／又は送信方式、並びに共通信号のシーケンス及び／又は送信方式を修正する。
【０２１７】
第１の切換部１４０３は、自セル内の変換後のキャリアに切り換え可能なユーザ装置を変換後のキャリアに切り換える。
【０２１８】
第２の処理部１４０４は、現在のキャリアの該一部のサブフレーム以外の他のサブフレームのキャリアタイプを変換後のキャリアに変換する。
【０２１９】
１つの態様では、該基地局は第２の切換部１４０５をさらに含む。
【０２２０】
第２の切換部１４０５は、第１のスケジューリング部１４０１が現在のキャリアの一部のサブフレームにおいてユーザ装置をスケジューリングすることを停止する前に、自セルの変えようとするキャリアタイプに基づいて、サービスを受けることができないＵＥを、サービスを提供可能なキャリアに切り換える。
【０２２１】
１つの態様では、第１のスケジューリング部１４０１は第１の送信モジュール１４０１１を含む。
【０２２２】
第１の送信モジュール１４０１１は、ユーザ装置がサブフレームパターンに基づいてサブフレームパターンの方式で動作するように、ユーザ装置に、該一部のサブフレーム以外の他のサブフレームをキャリーするサブフレームパターンを含む構成情報を送信する。
【０２２３】
１つの態様では、該基地局は、第１の送信部１４０６、判断部１４０７、及び第３の切換部１４０８をさらに含む。
【０２２４】
第１の送信部１４０６は、第１の切換部が自セル内の変換後のキャリアに切り換え可能なユーザ装置を該変換後のキャリアに切り換える前に、自セル内のユーザ装置にキャリア測定構成情報を送信し、ユーザ装置が変換後のキャリアを測定するように指示する。
【０２２５】
判断部１４０７は、ユーザ装置の変換後のキャリアに対する測定報告に基づいて、ユーザ装置を変換後のキャリアに切り換えるか否かを決定する。
【０２２６】
第３の切換部１４０８は、自セル内の変換後のキャリアに切り換えることができないユーザを、そのユーザに対してサービスを提供可能なキャリアに切り換える。
【０２２７】
１つの態様では、第１の切換部１４０３は、第２の送信モジュール１４０３１を含む。
【０２２８】
第２の送信モジュール１４０３１は、ユーザ装置が切り換え補助情報に基づいて変換後のキャリアに切り換えるように、ユーザ装置に切り換え補助情報を送信する。
【０２２９】
１つの態様では、第１の切換部１４０３は、第３の送信モジュール１４０３２を含む。
【０２３０】
第３の送信モジュール１４０３２は、ユーザ装置がサブフレームパターンに基づいてサブフレームパターンの方式で動作するように、ユーザ装置に、変換後のキャリアのサブフレームをキャリーする前記サブフレームパターンを含む構成情報を送信する。
【０２３１】
１つの態様では、該基地局は、第２のスケジューリング部１４０９をさらに含む。
【０２３２】
第２のスケジューリング部１４０９は、第１の処理部１４０２が該一部のサブフレームのキャリアタイプを変換した後に、該一部のサブフレームにおいてユーザ装置をスケジューリングする。
【０２３３】
第２のスケジューリング部１４０９は、第４の送信モジュール１４０９１を含む。
【０２３４】
第４の送信モジュール１４０９１は、ユーザ装置がサブフレームパターンに基づいてサブフレームパターンの方式で動作するように、ユーザ装置に、変換後のキャリアのサブフレームをキャリーするサブフレームパターンを含む構成情報を送信する。
【０２３５】
１つの態様では、該基地局は第３のスケジューリング部１４１０をさらに含む。
【０２３６】
第３のスケジューリング部１４１０は、第２の処理部１４０４が他のサブフレームを変換後のサブフレームに変換した後に、全てのサブフレームにおいてユーザ装置をスケジューリングする。
【０２３７】
該態様では、該基地局は第２の送信部１４１１をさらに含む。
【０２３８】
第２の送信部１４１１は、自セルのユーザ装置に通知メッセージを送信し、任意のサブフレームにおいてユーザ装置をスケジューリングすることができることをユーザ装置に通知する。
【０２３９】
本実施例の基地局によれば、ＢＣＴ及びＮＣＴの利点をよりよく発揮でき、キャリアサービスユーザのスムースな移行を実現できる。
【０２４０】
本発明の実施例は基地局をさらに提供し、以下の実施例１５に述べるように、該基地局の問題解決の原理は実施例７の方法と類似するため、その具体的な実施は実施例７の方法を参照することができるから、重複する内容の説明が省略される。
【０２４１】
＜実施例１５＞
本発明の実施例は基地局を提供し、図１５は該基地局の構成を示す図である。図１５に示すように、該基地局は送信部１５０１を含む。
【０２４２】
送信部１５０１は、ユーザ装置が切り換え補助情報に基づいて現在のキャリアタイプを基地局により指定されたキャリアタイプに変換するように、ユーザ装置に切り換えコマンド及び切り換え補助情報を送信する。
【０２４３】
ここで、切り換え補助情報は、ダウンリンク同期に関連する情報、及び／又はアップリンクランダムアクセスに関連する情報、及び／又は現在のキャリアと変換後のキャリアとが同一の状態にあるか否かを示す指示情報、を含む。
【０２４４】
本実施例の基地局によれば、ＵＥの切り換えを加速できる。
【０２４５】
本発明の実施例はユーザ装置をさらに提供し、以下の実施例１６に述べるように、該ユーザ装置の問題解決の原理は実施例８の方法と類似するため、その具体的な実施は実施例８の方法を参照することができるから、重複する内容の説明が省略される。
【０２４６】
＜実施例１６＞
本発明の実施例はユーザ装置をさらに提供し、図１６は該ユーザ装置の構成を示す図である。図１６に示すように、該ユーザ装置は受信部１６０１及び変換部１６０２を含む。
【０２４７】
受信部１６０１は、基地局により送信された切り換えコマンド及び切り換え補助情報を受信する。
【０２４８】
変換部１６０２は、切り換え補助情報に基づいて、現在のキャリアタイプを基地局により指定されたキャリアタイプに変換する。
【０２４９】
本実施例のユーザ装置によれば、ＵＥの切り換えを加速できる。
【０２５０】
本発明の実施例は、通信システムであって、実施例９に記載の基地局と、実施例１０に記載のＵＥとを含み、或いは実施例１１及び１２に記載の基地局と、実施例１３に記載のＵＥとを含み、或いは実施例１４に記載の基地局と、実施例１３に記載のＵＥとを含み、或いは実施例１５に記載の基地局と、実施例１６に記載のＵＥとを含む、システムをさらに提供する。
【０２５１】
本発明の実施例は、基地局においてプログラムを実行する際に、コンピュータに、実施例１、３、４、６又は７に記載のキャリア変換方法を基地局において実行させる、コンピュータ読み取り可能なプログラムをさらに提供する。
【０２５２】
本発明の実施例は、コンピュータに、実施例１、３、４、６又は７に記載のキャリア変換方法を基地局において実行させるためのコンピュータ読み取り可能なプログラムを記憶する、記憶媒体をさらに提供する。
【０２５３】
本発明の実施例は、端末装置においてプログラムを実行する際に、コンピュータに、実施例２、５又は８に記載のキャリア変換方法を端末装置において実行させる、コンピュータ読み取り可能なプログラムをさらに提供する。
【０２５４】
本発明の実施例は、コンピュータに、実施例２、５又は８に記載のキャリア変換方法を端末装置において実行させるためのコンピュータ読み取り可能なプログラムを記憶する、記憶媒体をさらに提供する。
【０２５５】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０２５６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016534661.tif 000003
【図２】
2016534661.tif 000004
【図３】
2016534661.tif 000005
【図４】
2016534661.tif 000006
【図５】
2016534661.tif 000007
【図６】
2016534661.tif 000008
【図７】
2016534661.tif 000009
【図８】
2016534661.tif 000010
【図９】
2016534661.tif 000011
【図１０】
2016534661.tif 000012
【図１１】
2016534661.tif 000013
【図１２】
2016534661.tif 000014
【図１３】
2016534661.tif 000015
【図１４】
2016534661.tif 000016
【図１５】
2016534661.tif 000017
【図１６】
2016534661.tif 000018
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
基地局であって、
自セルのＵＥにキャリア変換指示メッセージを送信し、自セルのキャリアタイプが変わることを前記キャリア変換指示メッセージを介して前記ＵＥに指示する送信手段と、
キャリアタイプを変換し、対応するシステム情報の内容及び／又は送信方式、並びに共通信号のシーケンス及び／又は送信方式を修正する処理手段と、を含む、基地局。
【請求項２】
前記キャリア変換指示メッセージは、変わった後のキャリアタイプのセル識別子、及び／又はＢＣＴをキャリーするサブフレームのサブフレームパターン、及び／又はＮＣＴをキャリーするサブフレームのサブフレームパターンを含む、請求項１に記載の基地局。
【請求項３】
変換後のキャリアが同一のセル識別子を有する混合キャリアであり、且つＵＥが前記混合キャリアにおける全てのキャリアをサポートする場合に、前記混合キャリアにおける任意のサブフレームにおいて前記ＵＥをスケジューリングする第３のスケジューリング手段、をさらに含む、請求項１に記載の基地局。
【請求項４】
変換後のキャリアが異なるセル識別子を有する混合キャリアであり、且つＵＥが前記混合キャリアにおける全てのキャリアをサポートする場合に、
前記ＵＥのサービングセルを決定し、前記ＵＥのサービングセルに対応するキャリアの所在するサブフレームにおいて前記ＵＥをスケジューリングし、或いは
前記基地局が時分割多重の方式で、前記混合キャリアの各キャリアの所在するサブフレームにおいて前記ＵＥをスケジューリングする第４のスケジューリング手段、をさらに含む、請求項１に記載の基地局。
【請求項５】
ユーザ装置であって、
基地局により送信されたキャリア変換指示メッセージを受信した後に、予め約束され、或いは前記キャリア変換指示メッセージによりキャリーされた時間指示情報に基づいてキャリア変換のタイミングを決定する決定手段と、
前記決定手段により決定されたキャリア変換のタイミングにおいてキャリア変換を行う切換手段と、を含む、ユーザ装置。
【請求項６】
前記切換手段は、前記キャリア変換指示メッセージが変換後のキャリアのセル識別子を含む場合に、前記キャリア変換のタイミングにおいて、前記変換後のキャリアのセル識別子を用いて、セルのシステムメッセージを認識し、セルの共通信号及びダウンリンク制御信号を受信し、前記ユーザ装置のアップリンク信号におけるセル識別子に関連するスクランブリングシーケンス及び参照信号シーケンスを変更する、請求項５に記載のユーザ装置。
【請求項７】
変換後のキャリアが同一のセル識別子を有する混合キャリアであり、且つ前記ユーザ装置が前記混合キャリアにおける全てのキャリアをサポートする場合に、前記混合キャリアをそのサービングセルとする第１の選択手段、をさらに含む、請求項５に記載のユーザ装置。
【請求項８】
変換後のキャリアが異なるセル識別子を有する混合キャリアであり、且つ前記ユーザ装置が前記混合キャリアにおける全てのキャリアをサポートする場合に、前記混合キャリアをそのサービングセルとし、或いは前記混合キャリアにおける１つのキャリアをそのサービングセルとする第２の選択手段、をさらに含む、請求項５に記載のユーザ装置。
【請求項９】
基地局であって、
自セルの全てのＵＥを、前記ＵＥに対してサービスを提供可能なキャリアに切り換える切換手段と、
キャリアタイプを変換し、対応するシステム情報の内容及び／又は送信方式、並びに共通信号のシーケンス及び／又は送信方式を修正する処理手段と、を含む、基地局。
【請求項１０】
変換後のキャリアが異なるセル識別子を有する混合キャリアであり、且つ前記ＵＥが前記混合キャリアにおける全てのキャリアをサポートする場合に、
前記ＵＥのサービングセルを決定し、前記ＵＥのサービングセルに対応するキャリアの所在するサブフレームにおいて前記ＵＥをスケジューリングし、或いは
時分割多重の方式で、前記混合キャリアの各キャリアの所在するサブフレームにおいて前記ＵＥをスケジューリングする第３のスケジューリング手段、をさらに含む、請求項９に記載の基地局。
【請求項１１】
基地局であって、
現在のキャリアの一部のサブフレームにおいてユーザ装置をスケジューリングすることを停止する第１のスケジューリング手段と、
前記一部のサブフレームのキャリアタイプを変換し、対応するシステム情報の内容及び／又は送信方式、並びに共通信号のシーケンス及び／又は送信方式を修正する第１の処理手段と、
自セル内の変換後のキャリアに切り換え可能なユーザ装置を前記変換後のキャリアに切り換える第１の切換手段と、
前記現在のキャリアの前記一部のサブフレーム以外の他のサブフレームのキャリアタイプを前記変換後のキャリアに変換する第２の処理手段と、を含む、基地局。
【請求項１２】
前記第１のスケジューリング手段は、
ユーザ装置がサブフレームパターンに基づいてサブフレームパターンの方式で動作するように、前記ユーザ装置に、前記一部のサブフレーム以外の他のサブフレームをキャリーする前記サブフレームパターンを含む構成情報を送信する第１の送信モジュール、を含む、請求項１１に記載の基地局。
【請求項１３】
前記第１の切換手段は、
前記ユーザ装置が切り換え補助情報に基づいて前記変換後のキャリアに切り換えるように、前記ユーザ装置に切り換えコマンド及び前記切り換え補助情報を送信する第２の送信モジュール、を含む、請求項１１に記載の基地局。
【請求項１４】
前記第１の切換手段は、
前記ユーザ装置がサブフレームパターンに基づいてサブフレームパターンの方式で動作するように、前記ユーザ装置に、変換後のキャリアのサブフレームをキャリーする前記サブフレームパターンを含む構成情報を送信する第３の送信モジュール、を含む、請求項１１に記載の基地局。
【請求項１５】
前記第１の処理手段が前記一部のサブフレームのキャリアタイプを変換した後に、前記ユーザ装置がサブフレームパターンに基づいてサブフレームパターンの方式で動作するように、前記ユーザ装置に、変換後のキャリアのサブフレームをキャリーする前記サブフレームパターンを含む構成情報を送信する第４の送信モジュール、をさらに含む、請求項１１に記載の基地局。
【請求項１６】
基地局であって、
ユーザ装置が切り換え補助情報に基づいて現在のキャリアタイプを基地局により指定されたキャリアタイプに変換するように、前記ユーザ装置に切り換えコマンド及び前記切り換え補助情報を送信する送信手段、を含む、基地局。
【請求項１７】
前記切り換え補助情報は、
ダウンリンク同期に関連する情報、及び／又は
アップリンクランダムアクセスに関連する情報、及び／又は
現在のキャリアと変換後のキャリアとが同一の状態にあるか否かを示す指示情報、を含む、請求項１６に記載の基地局。
【請求項１８】
ユーザ装置であって、
基地局により送信された切り換えコマンド及び切り換え補助情報を受信する受信手段と、
前記切り換え補助情報に基づいて、現在のキャリアタイプを前記基地局により指定されたキャリアタイプに変換する変換手段と、を含む、ユーザ装置。
【手続補正２】
【補正対象書類名】明細書
【補正対象項目名】００７５
【補正方法】変更
【補正の内容】
【００７５】
第２類混合キャリアからＮＣＴへの変換の態様では、セル識別子が変換していない。第２類混合キャリアによりサービスが提供されるユーザが第２類、第３類及び第４類のユーザのみであることを考慮し、基地局は、上記の第２類のユーザを外へ切り換えて、図１の方法に従ってキャリア変換を行ってもよい。この態様では、ステップ１０１に対応するものとして、該基地局は、依然としてサービスを受けることができ、且つユーザにとって混合キャリアが非透明であるユーザに、該キャリア変換指示メッセージを送信してもよい。この態様では、ステップ１０２に対応するものとして、好ましくは、基地局は、ＮＣＴのシステム情報を修正し、混合キャリアを示す部分を除去してもよい。
【手続補正３】
【補正対象書類名】明細書
【補正対象項目名】０１９５
【補正方法】変更
【補正の内容】
【０１９５】
１つの態様では、該基地局は第１のスケジューリング部１１０３をさらに含む。
【手続補正４】
【補正対象書類名】明細書
【補正対象項目名】０１９６
【補正方法】変更
【補正の内容】
【０１９６】
第１のスケジューリング部１１０３は、変換後のキャリアが混合キャリアであり、且つ変換後のキャリアに切り換えられたＵＥが該混合キャリアの１種類のみをサポートする場合に、ＵＥアクセスをサポートしないキャリアをキャリーするサブフレームにおいて該ＵＥをスケジューリングすることを停止する。
【手続補正５】
【補正対象書類名】明細書
【補正対象項目名】０１９７
【補正方法】変更
【補正の内容】
【０１９７】
１つの態様では、基地局は第２のスケジューリング部１１０４をさらに含む。
【手続補正６】
【補正対象書類名】明細書
【補正対象項目名】０１９８
【補正方法】変更
【補正の内容】
【０１９８】
第２のスケジューリング部１１０４は、変換後のキャリアが同一のセル識別子を有する混合キャリアであり、且つＵＥが該混合キャリアにおける全てのキャリアをサポートする場合に、混合キャリアにおける任意のサブフレームにおいて該ＵＥをスケジューリングする。
【手続補正７】
【補正対象書類名】明細書
【補正対象項目名】０１９９
【補正方法】変更
【補正の内容】
【０１９９】
１つの態様では、基地局は第３のスケジューリング部１１０５をさらに含む。
【手続補正８】
【補正対象書類名】明細書
【補正対象項目名】０２００
【補正方法】変更
【補正の内容】
【０２００】
第３のスケジューリング部１１０５は、変換後のキャリアが異なるセル識別子を有する混合キャリアであり、且つＵＥが混合キャリアにおける全てのキャリアをサポートする場合に、ＵＥのサービングセルを決定し、ＵＥのサービングセルに対応するキャリアの所在するサブフレームにおいてＵＥをスケジューリングし、或いは時分割多重の方式で、混合キャリアの各キャリアの所在するサブフレームにおいてＵＥをスケジューリングする。
【国際調査報告】
2016534661.tif 000019
2016534661.tif 000020
2016534661.tif 000021
2016534661.tif 000022